(57)【特許請求の範囲】
【請求項１】
少なくとも下半身の一部をカバーし股部を有しており人体にフィットさせて着用する伸縮性生地からなる衣料であって、前記衣料は部分的に緊締力の強い部分を有しており、前記緊締力の強い部分として、衣料後側の人体の仙骨から腰椎上のいずれかの部分に相当する位置に於いて左右部分が連結しており、前記位置から左右の大殿筋のほぼ筋繊維方向に沿って臀部の膨らみの頂点又はその近傍を通り少なくとも大転子近傍に至る部分をカバーしている強緊締力部（Ａ）と、下腹部の腹直筋上に於いて左右部分が連結しており、前記下腹部の腹直筋上から左右の内腹斜筋のほぼ筋繊維方向に沿って斜め下方向に向かい少なくとも大転子近傍に至る部分をカバーしている強緊締力部（Ｂ）を有する衣料。
【請求項２】
下腹部の腹直筋上に於いて左右部分が連結しており、前記下腹部の腹直筋上から左右の外腹斜筋のほぼ筋繊維方向に沿って斜め上方に向かい少なくとも脇を背面側に超える位置までの部分をカバーしている強緊締力部（Ｃ）を更に有する請求項１に記載の衣料。
【請求項３】
ほぼウェスト部の後中心位置近傍に於いて左右部分が連結しており、前記ウェスト部の後中心位置近傍から左右の広背筋及び中殿筋及び外腹斜筋の一部に当接され少なくとも脇を前面側に超える位置までの部分をカバーしている強緊締力部（Ｄ）を更に有する請求項１〜２のいずれかに記載の衣料。
【請求項４】
請求項２記載の強緊締力部（Ｃ）と請求項３記載の強緊締力部（Ｄ）とを更に有する請求項１に記載の衣料。
【請求項５】
主たる伸縮方向が衣料縦方向であって下腹部中央部をカバーするお腹押え用強緊締力部（Ｆ）を更に有しており、前記強緊締力部（Ｂ）が前記お腹押え用強緊締力部（Ｆ）の左右の下脇側にそれぞれその一端が連結されており、前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）である請求項１に記載の衣料。
【請求項６】
主たる伸縮方向が衣料縦方向であって下腹部中央部をカバーするお腹押え用強緊締力部（Ｆ）を更に有し、
前記強緊締力部（Ｂ）が、前記お腹押え用強緊締力部（Ｆ）の左右の下脇側にそれぞれその一端が連結されており前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）であり、
前記強緊締力部（Ｃ）が、前記お腹押え用強緊締力部（Ｆ）の左右の上脇側にそれぞれその一端が連結されており前記（Ｆ）の左右の上脇側からそれぞれ左右の外腹斜筋のほぼ筋繊維方向に沿って斜め上方に向かい少なくとも脇を背面側に超える位置までの部分をカバーしている強緊締力部（Ｃ）である請求項２に記載の衣料。
【請求項７】
強緊締力部（Ａ）で表わされる部分が、更に大転子近傍から前側大腿部の内側に向かって縫工筋、大腿直筋、内側広筋から選ばれたいずれか少なくとも１つの大腿四頭筋の少なくとも一部をカバーしている強緊締力部（Ａ２）である請求項１〜６のいずれかに記載の衣料。
【請求項８】
強緊締力部（Ａ）で表わされる部分が、更に大転子近傍から大腿部の腸脛靭帯及び／又は外側広筋近傍上を通り膝蓋部より少し上の部分までをカバーしている強緊締力部（Ａ３）である請求項１〜６のいずれかに記載の衣料。
【請求項９】
強緊締力部（Ａ）で表わされる部分が、更に大転子近傍から腸脛靭帯及び／又は外側広筋近傍上を通って、膝蓋部に至り、更に膝蓋部から、腓腹筋及びヒラメ筋をサポートするために脚部外側で腓腹筋及び／又はヒラメ筋近傍上を通り、外踝部上方近傍に至る部分をカバーしている強緊締力部（Ａ４）である請求項１〜６のいずれかに記載の衣料。
【請求項１０】
強緊締力部（Ｂ）で表わされる部分が、更に大転子近傍から臀部の膨らみの下方部分をカバーしている強緊締力部（Ｂ２）である請求項１〜９のいずれかに記載の衣料。
【請求項１１】
強緊締力部（Ｂ）で表わされる部分が、更に大転子近傍から大腿部後ろ側のハムストリングスの少なくとも一部をカバーしている強緊締力部（Ｂ３）である請求項１〜９のいずれかに記載の衣料。
【請求項１２】
請求項２記載の強緊締力部（Ｃ）と請求項３記載の強緊締力部（Ｄ）とが一体となって連続している強緊締力部（Ｃ−Ｄ）を更に有する請求項１に記載の衣料。
【請求項１３】
大腿部内側上方部分から、内側広筋をサポートするために内側広筋上を通って、膝蓋部に至り、更に膝蓋部から、腓腹筋及びヒラメ筋をサポートするために脚部内側で腓腹筋及び／又はヒラメ筋近傍上を通り、内踝部上方近傍に至る強緊締力部（Ｅ）を更に有する請求項９に記載の衣料。
【請求項１４】
強緊締力部が衣料本体布の表側又は裏側に当て布を積層して形成した強緊締力部である請求項１〜１３のいずれかに記載の衣料。
【請求項１５】
強緊締力部が、衣料本体布の編組織を切り替えて、弱緊締力部と強緊締力部とをパターン状に形成することにより形成された強緊締力部である請求項１〜１３のいずれかに記載の衣料。
【請求項１６】
強緊締力部が、衣料本体布の所定部分に弾力性を有する合成樹脂又はゴムのフィルムを積層するか、または、弾力性を有する合成樹脂又はゴムの溶液又はエマルションを含浸又はコーティングし乾燥させて形成した強緊締力部である請求項１〜１３のいずれかに記載の衣料。
【請求項１７】
強緊締力部が、１５０〜４００ｇｆの緊締力を有する請求項１〜１６のいずれかに記載の衣料。
【請求項１８】
伸縮性生地が伸縮性ツーウェイトリコット編物及び伸縮性ラッセル編物から選ばれた編物である請求項１〜１７のいずれかに記載の衣料。
【請求項１９】
少なくとも下半身の一部をカバーし股部を有しており人体にフィットさせて着用する伸縮性生地からなる衣料が、ガードル、スパッツ、スポーツ用タイツ、ボディスーツ、レオタード、水着から選ばれた衣料である請求項１〜１８のいずれかに記載の衣料。
【請求項２０】
少なくとも下半身の一部をカバーし股部を有しており人体にフィットさせて着用する伸縮性生地からなる衣料が、人体の大腿部を少なくとも股部より下側まで筒状に包み込む脚部を有している衣料である請求項１〜１９のいずれかに記載の衣料。
【請求項２１】
少なくとも下半身の一部をカバーし股部を有しており人体にフィットさせて着用する伸縮性生地からなる衣料が、その裾下端位置が股部の位置とほぼ同等の高さの位置にあるか、または、それより上にあり、大腿部を少なくとも股部より下側まで筒状に包み込む脚部を有していない衣料である請求項１〜１９のいずれかに記載の衣料。
【発明の詳細な説明】
【０００１】
【発明の属する技術分野】
本発明は、股関節の安定を補助し、腰椎前湾を弱める機能を有する衣料に関するものである。
【０００２】
【従来の技術】
加齢や運動不足、或いは運動による筋肉の過度の使用などから、姿勢に乱れが生じたり、一部分の筋肉への負担が過剰になり、痛みが生じたり、動きが制限されることがある。
【０００３】
特に腰部では、脊柱起立筋をサポートする腹筋類の弱体化から腰椎の前湾が大きくなったり、骨盤の傾きを安定させ、股関節を安定的に機能させる筋肉として重要な役割を果たしている大殿筋や中殿筋、更にはハムストリングスと呼ばれている大腿二頭筋、半腱様筋、半膜様筋などの弱体化により、骨盤が後傾しやすくなり、腰痛が生じたり、外腹斜筋の機能がハムストリングスの弱体化によりうまく働かなくなり、上半身が十分にささえられなくなり、腰を回旋する場合の支点が定まらず腰の回旋（ねじり）動作がスムーズに行かないといった動きの制限や、不都合に繋がる。
【０００４】
また、骨盤の後傾により、ヒップが扁平になり、腰椎の前湾とも相俟って脇腹の筋肉が皺となってくびれ、腰の左右へのひねり角度も小さくなり、全体として老人ぽい体形となるばかりでなく、姿勢の崩れから、腰痛のみならず、間接的に膝関節痛も生じる原因となっている。
【０００５】
従来より、例えばヒップアップなどの体形補整機能を付与するために、衣料本体の所定部分に当て布などをあてがって、当該所定部分の緊締力を強化した体形補整を目的とした衣料や、スポーツなどの運動能力を補助するため特定の筋肉をサポートするスポーツ用タイツ等が提案されている。
【０００６】
上述した腰椎の前湾を防止し股関節を安定化させて、腰痛や動きの制限を防止し、股関節の動きの制限を少なくするため、従来の手法としては、例えば次のような手段が一般的に採用されている。
【０００７】
<1>腰部や下腹部などにテーピングを施す方法。
【０００８】
<2>ベルト状のコルセットを<1>と同様に腰部や下腹部などに巻きつけて着用する方法。
【０００９】
【発明が解決しようとする課題】
しかし、<1>の方法は、自分自身でテーピングすることは困難であり、他の人にテーピングしてもらう必要があるが、素人ではテーピングはできないので、専門家にいちいちテーピングをしてもらう必要があり、着脱が不便である。また、長時間着用することができないし、皮膚障害に繋がることもある等の問題がある。
【００１０】
<2>の方法としては、腹圧を上げたり、腰椎の過伸展を防いで、背筋への負担を少なくすることで腰痛を緩和するもの、また、股関節に対して輪状に強く圧迫して安定を図ろうとするものがある。しかしこれらは非常に着用者の動きを制限すものであり、日常時やスポーツを行う場合などは着用感が極めて悪く、着用しづらいという問題がある。
【００１１】
本発明は、日常時の着用やスポーツを行う際の着用などの通常時の着用においても着用感が良好で、素人にも自分自身で容易に着用でき、股関節の安定性を向上し、若々しい体型・姿勢を作り、腰椎の前湾を弱める機能があり、腰痛などの痛みの緩和にも寄与し、また、人体の腰部や股関節の可動域の拡大機能を利用して、スポーツを行う場合にはそのパフォーマンスの向上を可能にし、高齢者においては転倒の防止にもつながる機能を有する衣料を提供することを目的とする。
【００１２】
【課題を解決するための手段】
上記の課題を解決するために、本発明は、次の様な衣料を提供するものである。
【００１３】
（１）少なくとも下半身の一部をカバーし股部を有しており人体にフィットさせて着用する伸縮性生地からなる衣料であって、前記衣料は部分的に緊締力の強い部分を有しており、前記緊締力の強い部分として、衣料後側の人体の仙骨から腰椎上のいずれかの部分に相当する位置に於いて左右部分が連結しており、前記位置から左右の大殿筋のほぼ筋繊維方向に沿って臀部の膨らみの頂点又はその近傍を通り少なくとも大転子近傍に至る部分をカバーしている強緊締力部（Ａ）と、下腹部の腹直筋上に於いて左右部分が連結しており、前記下腹部の腹直筋上から左右の内腹斜筋のほぼ筋繊維方向に沿って斜め下方向に向かい少なくとも大転子近傍に至る部分をカバーしている強緊締力部（Ｂ）を有する衣料。
【００１４】
（２）下腹部の腹直筋上に於いて左右部分が連結しており、前記下腹部の腹直筋上から左右の外腹斜筋のほぼ筋繊維方向に沿って斜め上方に向かい少なくとも脇を背面側に超える位置までの部分をカバーしている強緊締力部（Ｃ）を更に有する前記（１）項に記載の衣料。
【００１５】
（３）ほぼウェスト部の後中心位置近傍に於いて左右部分が連結しており、前記ウェスト部の後中心位置近傍から左右の広背筋及び中殿筋及び外腹斜筋の一部に当接され少なくとも脇を前面側に超える位置までの部分をカバーしている強緊締力部（Ｄ）を更に有する前記（１）〜（２）項のいずれかに記載の衣料。
【００１６】
（４）前記（２）項記載の強緊締力部（Ｃ）と前記（３）項記載の強緊締力部（Ｄ）とを更に有する前記（１）項に記載の衣料。
【００１７】
（５）主たる伸縮方向が衣料縦方向であって下腹部中央部をカバーするお腹押え用強緊締力部（Ｆ）を更に有しており、前記強緊締力部（Ｂ）が前記お腹押え用強緊締力部（Ｆ）の左右の下脇側にそれぞれその一端が連結されており、前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）である前記（１）項に記載の衣料。
【００１８】
（６）主たる伸縮方向が衣料縦方向であって下腹部中央部をカバーするお腹押え用強緊締力部（Ｆ）を更に有し、
前記強緊締力部（Ｂ）が、前記お腹押え用強緊締力部（Ｆ）の左右の下脇側にそれぞれその一端が連結されており前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）であり、
前記強緊締力部（Ｃ）が、前記お腹押え用強緊締力部（Ｆ）の左右の上脇側にそれぞれその一端が連結されており前記（Ｆ）の左右の上脇側からそれぞれ左右の外腹斜筋のほぼ筋繊維方向に沿って斜め上方に向かい少なくとも脇を背面側に超える位置までの部分をカバーしている強緊締力部（Ｃ）である前記（２）項に記載の衣料。
【００１９】
（７）強緊締力部（Ａ）で表わされる部分が、更に大転子近傍から前側大腿部の内側に向かって縫工筋、大腿直筋、内側広筋から選ばれたいずれか少なくとも１つの大腿四頭筋の少なくとも一部をカバーしている強緊締力部（Ａ２）である前記（１）〜（６）項のいずれかに記載の衣料。
【００２０】
（８）強緊締力部（Ａ）で表わされる部分が、更に大転子近傍から大腿部の腸脛靭帯及び／又は外側広筋近傍上を通り膝蓋部より少し上の部分までをカバーしている強緊締力部（Ａ３）である前記（１）〜（６）項のいずれかに記載の衣料。
【００２１】
（９）強緊締力部（Ａ）で表わされる部分が、更に大転子近傍から腸脛靭帯及び／又は外側広筋近傍上を通って、膝蓋部に至り、更に膝蓋部から、腓腹筋及びヒラメ筋をサポートするために脚部外側で腓腹筋及び／又はヒラメ筋近傍上を通り、外踝部上方近傍に至る部分をカバーしている強緊締力部（Ａ４）である前記（１）〜（６）項のいずれかに記載の衣料。
【００２２】
（１０）強緊締力部（Ｂ）で表わされる部分が、更に大転子近傍から臀部の膨らみの下方部分をカバーしている強緊締力部（Ｂ２）である前記（１）〜（９）項のいずれかに記載の衣料。
【００２３】
（１１）強緊締力部（Ｂ）で表わされる部分が、更に大転子近傍から大腿部後ろ側のハムストリングスの少なくとも一部をカバーしている強緊締力部（Ｂ３）である前記（１）〜（９）項のいずれかに記載の衣料。
【００２４】
（１２）前記（２）項に記載の強緊締力部（Ｃ）と前記（３）項に記載の強緊締力部（Ｄ）とが一体となって連続している強緊締力部（Ｃ−Ｄ）を更に有する前記（１）項に記載の衣料。
【００２５】
（１３）大腿部内側上方部分から、内側広筋をサポートするために内側広筋上を通って、膝蓋部に至り、更に膝蓋部から、腓腹筋及びヒラメ筋をサポートするために脚部内側で腓腹筋及び／又はヒラメ筋近傍上を通り、内踝部上方近傍に至る強緊締力部（Ｅ）を更に有する前記（９）項に記載の衣料。
【００２６】
（１４）強緊締力部が衣料本体布の表側又は裏側に当て布を積層して形成した強緊締力部である前記（１）〜（１３）項のいずれかに記載の衣料。
【００２７】
（１５）強緊締力部が、衣料本体布の編組織を切り替えて、弱緊締力部と強緊締力部とをパターン状に形成することにより形成された強緊締力部である前記（１）〜（１３）項のいずれかに記載の衣料。
【００２８】
（１６）強緊締力部が、衣料本体布の所定部分に弾力性を有する合成樹脂又はゴムのフィルムを積層するか、または、弾力性を有する合成樹脂又はゴムの溶液又はエマルションを含浸又はコーティングし乾燥させて形成した強緊締力部である前記（１）〜（１３）項のいずれかに記載の衣料。
【００２９】
（１７）強緊締力部が、１５０〜４００ｇｆの緊締力を有する前記（１）〜（１６）項のいずれかに記載の衣料。
【００３０】
（１８）伸縮性生地が伸縮性ツーウェイトリコット編物及び伸縮性ラッセル編物から選ばれた編物である前記（１）〜（１７）項のいずれかに記載の衣料。
【００３１】
（１９）少なくとも下半身の一部をカバーし股部を有しており人体にフィットさせて着用する伸縮性生地からなる衣料が、ガードル、スパッツ、スポーツ用タイツ、ボディスーツ、レオタード、水着から選ばれた衣料である前記（１）〜（１８）項のいずれかに記載の衣料。
【００３２】
（２０）少なくとも下半身の一部をカバーし股部を有しており人体にフィットさせて着用する伸縮性生地からなる衣料が、人体の大腿部を少なくとも股部より下側まで筒状に包み込む脚部を有している衣料である前記（１）〜（１９）項のいずれかに記載の衣料。
【００３３】
（２１）少なくとも下半身の一部をカバーし股部を有しており人体にフィットさせて着用する伸縮性生地からなる衣料が、その裾下端位置が股部の位置とほぼ同等の高さの位置にあるか、または、それより上にあり、大腿部を少なくとも股部より下側まで筒状に包み込む脚部を有していない衣料である前記（１）〜（１９）項のいずれかに記載の衣料。
【００３４】
【発明の実施の形態】
以下、図面を参照しながら、本発明の具体的実施の形態例について説明するが、本発明では、本発明衣料本体のどの部分に緊締力の強い部分が配置されているか、緊締力の強い部分が配置されている衣料上における位置の説明に身体の一部や筋肉や骨格相当部分の名称を使用している部分もあるので、理解を容易にするために、先ず、本発明で緊締力の強い部分の位置等の説明に使用する骨格や筋肉の人体における位置を説明しておく。
【００３５】
図７０は図の左半分が人体前面側の骨格図、また、右半分が人体前面側の筋肉図である。図７１は図の左半分が人体後面側の骨格図、また、右半分が人体後面側の筋肉図である。尚、図７０、図７１において、本発明の説明に特に必要のない部分の筋肉や骨格は一部図示ならびに説明を省略している。
【００３６】
図７０、図７１において、２０１が腰椎、２０１ａが第１腰椎、２０１ｂが第２腰椎、２０１ｃが第３腰椎、２０１ｄが第４腰椎、２０１ｅが第５腰椎である。また、２０２が仙骨、２０３が骨盤（腸骨）、２０４が大腿骨頭、２０５が大転子、２０６が大腿骨体、２０７が腓骨、２０８が脛骨、３０１が腹直筋、３０２が外腹斜筋、３０３が縫工筋、３０４が大腿直筋、３０５が外側広筋、３０６が内側広筋、３０７が膝蓋の位置、３０８が広背筋、３０９が中殿筋、３１０が大殿筋、３１１が腸脛靭帯、３１２が大腿二頭筋、３１３が半腱様筋、３１４が半膜様筋、３１５が腓腹筋、３１５ａが脚部外側の腓腹筋、３１５ｂが脚部内側の腓腹筋、３１６がヒラメ筋、３１６ａが脚部外側のヒラメ筋、３１６ｂが脚部内側のヒラメ筋、３１７ａが外踝部、３１７ｂが内踝部、３１８が大腿筋膜張筋である。なお、各筋肉の筋繊維の方向は、図示の各筋肉中に示した細線の長さ方向であり、この筋繊維の方向が筋肉の収縮方向である。内腹斜筋が図７０と図７１には図示されていないが、内腹斜筋はほぼ腹直筋と外腹斜筋の背面側に存在し、筋繊維方向は人体前中心から左右にそれぞれほぼ斜め下向き方向である。なお、これらの骨格や筋肉の位置、形、大きさは個体それぞれに応じて若干相違するので、上記筋肉ならびに骨格図は代表例の一つとして示したものである。
【００３７】
また、本発明において緊締力の強い部分が配置されている衣料上における位置の説明に「……近傍」と言う用語を用いているが、これは所定の指定された位置から多少のずれがあっても、本発明の目的が達成できる範囲においては差し支えないということを意味している。上述したように骨格や筋肉の位置、形、大きさは個体それぞれに応じて相違するし、人体全体の大きさも相違するので、緊締力の強い部分が配置されている衣料上における位置が所定の指定された位置から多少のずれがあっても、本発明の目的が達成できる範囲においては差し支えない。
【００３８】
なお、本発明において、強緊締力部は特に断らない限りその主たる伸縮方向はほぼその長手方向である。ほぼ長手方向としたのは、強緊締力部が布地によって構成されている場合で、その形がカーブしている場合にはどの部分においてもすべてその主たる伸縮方向がその長手方向であると言う布地を得ることは困難だからである。また、強緊締力部において「主たる伸縮方向がほぼその長手方向」とは、長手方向と直角の方向にも伸縮性がある場合には、長手方向と直角方向の伸縮性は長手方向の伸縮性と同等か、それ以下であることを意味している。また、長手方向と直角方向には伸縮性を持たないものも含まれる。強緊締力部分は長手方向の伸縮性の方がそれと直角方向の伸縮性よりも大きいことが好ましい。
【００３９】
また、本発明において「……に於いて左右部分が連結しており」の「連結」とは、左右部分が継ぎ目なく連続した状態の場合と、左右部分が縫合または接着などにより繋がっている場合も含むものである。
【００４０】
図１〜図３に参考例としての衣料のロングタイプのガードルの着用状態における正面図、左側面図、背面図をそれぞれ示した。図１〜図３に示したロングタイプのガードル１０ａにおいては、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１を有している。このガードル１０ａの他の本体部分は前記強緊締力部に比べて緊締力のより小さい伸縮性生地からなっている。強緊締力部１が大殿筋の筋繊維方向に沿って臀部の膨らみの頂点又はその近傍を通っており、しかも、ガードル後側の人体の第４腰椎から仙骨に相当する位置２に於いて左右部分が連結しているので、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、強緊締力部が大転子近傍をカバーしているので大腿骨頭２０４と寛骨臼との結合を良好にし、股関節の安定性を向上させる機能を有する衣料を提供できる。
【００４１】
次に図４〜図６に本発明の衣料である別の態様のロングタイプのガードルの着用状態における正面図、左側面図、背面図をそれぞれ示した。図４〜図６に示したロングタイプのガードル１０ｂにおいては、図１〜図３に示したガードル１０ａと同様の位置に同様の強緊締力部（Ａ）として、強緊締力部１を有するとともに、更に強緊締力部（Ｂ）として、下腹部の腹直筋上４に於いて左右部分が連結しており、前記下腹部の腹直筋上４の位置から左右の内腹斜筋のほぼ筋繊維方向に沿って斜め下方向に向かい大転子３近傍に至る部分をカバーしている強緊締力部５を有している。これ以外の点は図１〜図３に示したロングタイプのガードルと同様であるので、同一部分には同一の符号を付して詳細な説明を省略している。
【００４２】
図４〜図６に示したガードルは、強緊締力部１を有しているので図１〜図３に示したガードル１０ａと同様の効果を達成しうるとともに、更に強緊締力部（Ｂ）として、下腹部の腹直筋上４に於いて左右部分が連結しており、前記下腹部の腹直筋上４の位置から左右の内腹斜筋のほぼ筋繊維方向に沿って斜め下方向に向かい少なくとも大転子近傍３に至る部分をカバーしている強緊締力部５により、腹直筋３０１の一部と内腹斜筋をサポートし、腰椎の前湾を弱め、良好な姿勢を保持し、体型が若々しく見え、腰痛などの痛みの発生を予防しうる機能を有する衣料を提供できる。
【００４３】
次に図７〜図９に参考例としての衣料である更に別の態様のロングタイプのガードルの着用状態における正面図、左側面図、背面図をそれぞれ示した。図７〜図９に示したロングタイプのガードル１０ｃにおいては、図１〜図３に示したガードル１０ａと同様の位置に同様の強緊締力部（Ａ）として強緊締力部１を有し、更に強緊締力部（Ｃ）として、下腹部の腹直筋上４に於いて左右部分が連結しており、前記下腹部の腹直筋上４から左右の外腹斜筋のほぼ筋繊維方向に沿って斜め上方に向かい少なくとも脇７を背面側に超える位置までの部分をカバーしている強緊締力部６を有している。これ以外の点は図１〜図３に示したロングタイプのガードルと同様であるので、同一部分には同一の符号を付して詳細な説明を省略している。
【００４４】
図７〜図９に示したガードルは、強緊締力部１を有しているので図１〜図３に示したガードル１０ａと同様の効果を達成しうるとともに、更に強緊締力部（Ｃ）として、下腹部の腹直筋上４に於いて左右部分が連結しており、前記下腹部の腹直筋上４の位置から左右の外腹斜筋のほぼ筋繊維方向に沿って斜め上方に向かい少なくとも脇７を背面側に超える位置に至る部分をカバーしている強緊締力部６により、腹直筋３０１の一部と外腹斜筋３０２をサポートし、腰椎の前湾を弱め、良好な姿勢を保持し、体型が若々しく見え、腰痛などの痛みの発生を予防しうる機能を有する衣料を提供できる。
【００４５】
次に図１０〜図１２に参考例としての衣料である更に別の態様のロングタイプのガードルの着用状態における正面図、左側面図、背面図をそれぞれ示した。図１０〜図１２に示したロングタイプのガードル１０ｄにおいては、図１〜図３に示したガードル１０ａと同様の位置に同様の強緊締力部（Ａ）として強緊締力部１を有し、更に強緊締力部（Ｄ）として、ほぼウェスト部の後中心位置８近傍に於いて左右部分が連結しており、前記ウェスト部の後中心位置８近傍から左右の広背筋及び中殿筋及び外腹斜筋の一部に当接され少なくとも脇７を前面側に超える位置までの部分をカバーしている強緊締力部９を有している。これ以外の点は図１〜図３に示したロングタイプのガードルと同様であるので、同一部分には同一の符号を付して詳細な説明を省略している。
【００４６】
図１０〜図１２に示したガードルは、強緊締力部１を有しているので図１〜図３に示したガードル１０ａと同様の効果を達成しうるとともに、更に強緊締力部（Ｄ）として、ほぼウェスト部の後中心位置８近傍に於いて左右部分が連結しており、前記ウェスト部の後中心位置８近傍から左右の広背筋３０８及び中殿筋３０９及び外腹斜筋３０２の一部に当接され少なくとも脇７を前面側に超える位置までの部分をカバーしている強緊締力部９により、骨盤の後傾を防止し、骨盤の位置を安定した位置に保つ機能を補助する機能を発揮できる。
【００４７】
次に図１３〜図１５に本発明の衣料である更に別の態様のロングタイプのガードルの着用状態における正面図、左側面図、背面図をそれぞれ示した。図１３〜図１５に示したロングタイプのガードル１０ｅにおいては、図１〜図３に示したガードル１０ａと同様の位置に同様の強緊締力部（Ａ）として、強緊締力部１を有し、図４〜図６に示したガードル１０ｂと同様の位置に同様の強緊締力部（Ｂ）として、強緊締力部５を有し、図７〜図９に示したロングタイプのガードル１０ｃと同様の位置に同様の強緊締力部（Ｃ）として、強緊締力部６を有し、図１０〜図１２に示したロングタイプのガードル１０ｄと同様の位置に同様の強緊締力部（Ｄ）として、強緊締力部９を有している。この例では下腹部の腹直筋上４に於いて強緊締力部５と強緊締力部６とは一体となって連結している。また、強緊締力部６と強緊締力部９とは一体となって連結していて、強緊締力部１１を形成している。従って、強緊締力部１、５、６、９を有しているので図１〜図１２に示した各ガードル１０ａ、１０ｂ、１０ｃ、１０ｄにおいて説明したと同様の効果を合わせ持つガードルが得られるとともに、強緊締力部５と強緊締力部６とは一体となって連結しているので、腹筋をより強力にサポートし、腰椎の前湾を弱め、良好な姿勢を保持し、体型が若々しく見え、腰痛などの痛みの発生を予防しうる機能がより発揮されやすい。また、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい。
【００４８】
次に図１６〜図１８に本発明の衣料である更に別の態様のロングタイプのガードルの着用状態における正面図、左側面図、背面図をそれぞれ示した。図１６〜図１８に示したロングタイプのガードル１０ｆにおいては、図１３〜図１５に示したガードル１０ｅと比較すると、強緊締力部５で表わされる部分が、大転子３近傍から更に臀部の膨らみの下方部分に伸びており、この延長された部分の強緊締力部を符号１２で表わすと、強緊締力部５と強緊締力部１２が一体となって強緊締力部（Ｂ２）を形成している。従ってこのガードルは図１３〜図１５に示したガードル１０ｅと同様の優れた機能を発揮できるとともに、強緊締力部（Ｂ２）を有するので、大転子３を押さえる機能がより強化されており、大腿骨頭２０４と寛骨臼との結合をより良好にし、股関節の安定性を向上させる機能がより強化される。更に強緊締力部１２により、ヒップアップ機能を付与することができる。
【００４９】
次に図１９〜図２１に本発明の衣料である更に別の態様のロングタイプのガードルの着用状態における正面図、左側面図、背面図をそれぞれ示した。図１９〜図２１に示したロングタイプのガードル１０ｇにおいては、図１６〜図１８に示したガードル１０ｆと比較すると、図１６〜図１８に示したガードル１０ｆでは下腹部ほぼ中央部で強緊締力部５と強緊締力部６とが一体となって連結しているのに対し、図１９〜図２１に示したロングタイプのガードル１０ｇにおいては、下腹部中央部に符号２０で示される主たる伸縮方向が衣料縦方向のお腹押え用強緊締力部（Ｆ）が存在している。
【００５０】
即ちこのガードル１０ｇにおいては、前記お腹押え用強緊締力部（Ｆ）２０の左右のやや下脇側に強緊締力部５のそれぞれ左右の一端が連結されており、前記（Ｆ）２０の左右の上脇側に強緊締力部６のそれぞれ左右の一端が連結されている。前記以外の点は図１６〜図１８に示したガードルと同様であるので、同じ部分には同じ符号を付して詳細な説明を省略した。
【００５１】
このガードル１０ｇにおいても、左右の強緊締力部５と左右の強緊締力部６は、それぞれお腹押え用強緊締力部（Ｆ）２０を介して連結されているので、図１６〜図１８に示したガードルとほぼ同等の機能を発揮することができるとともに、特に、お腹押え用強緊締力部（Ｆ）２０が存在するので、腹部の贅肉の膨出を押さえ、腹部の形状をより美しく整える機能も発揮される。なお、図１９〜図２０において符号２１で示される部分はクロッチを示している。クロッチを構成する生地は、特に限定するものではないが、縦方向に伸縮性を有する生地が通常用いられる。
【００５２】
次に図２２〜図２４に本発明の衣料である更に別の態様のロングタイプのガードルの着用状態における正面図、左側面図、背面図をそれぞれ示した。図２２〜図２４に示したロングタイプのガードル１０ｈにおいては、図１９〜図２１に示したガードル１０ｇと比較すると、図１９〜図２１に示したガードル１０ｇにおいては、強緊締力部５で表わされる部分が、大転子３近傍から更に臀部の膨らみの下方部分に伸びた強緊締力部１２を有していて、強緊締力部５と強緊締力部１２が一体となって強緊締力部（Ｂ２）を形成しているのに対し、図２２〜図２４に示したロングタイプのガードル１０ｈにおいては、強緊締力部５で表わされる部分が、大転子３近傍から更に大腿部後ろ側のハムストリングスとも呼ばれている大腿二頭筋、半腱様筋、半膜様筋などの少なくとも一部をカバーして腓骨(図５２の２０７)の存在する側で膝蓋部より少し上の部分近傍にまで伸びており、この延長された強緊締力部を符号５ａで表わすと、強緊締力部５と強緊締力部５ａとが一体となって強緊締力部（Ｂ３）を形成している。また、このロングタイプのガードル１０ｈにおいては、強緊締力部１で表わされる部分が、大転子３近傍から更に前側大腿部の内側に向かって縫工筋、大腿直筋、内側広筋などの大腿四頭筋の少なくとも一部をそのほぼ筋繊維方向に沿ってカバーして脛骨(図５２の２０８)の存在する側で膝蓋部より少し上の部分近傍にまで伸びており、この延長された強緊締力部を符号１ａで表わすと、強緊締力部１と強緊締力部１ａとが一体となって強緊締力部（Ａ２）を形成している。前記以外の点は図１９〜図２１に示したガードルと同様であるので、同じ部分には同じ符号を付して詳細な説明を省略した。
【００５３】
このガードル１０ｈにおいては、強緊締力部１２が存在しないと言う点の相違を除いては図１９〜図２１に示したガードルとほぼ同等の機能を発揮することができるとともに、強緊締力部（Ａ２）と（Ｂ３）を有するので、大転子３を押さえる機能が更に一層強化されており、大腿骨頭２０４と寛骨臼との結合をより良好にし、股関節の安定性を向上させる機能がより強化される。そして、強緊締力部１ａ並びに強緊締力部５ａにより、大腿四頭筋（縫工筋、大腿直筋、内側広筋など）、ハムストリングスとも呼ばれている大腿二頭筋、半腱様筋、半膜様筋のほぼ筋肉収縮方向をサポートしているので、スポーツを行う場合に、脚部のこれらの筋肉をサポートするとともに、マッサージ効果が生起し、血液、リンパ球の流れが促進されることにより、エネルギーの消耗や乳酸の蓄積によって生じた筋肉疲労の回復が促進できる。また、走行動作における地面を強く後ろに押す機能、ジャンプ時により高く跳ぶ機能、足を上げる機能などがより強化される。また高齢者が着用した場合には、転倒を防止し歩行の安定性を高める機能がより一層強化される。
【００５４】
次に図２５〜図２６に本発明の衣料である更に別の態様のロングタイプのガードルの着用状態における左側面図、背面図をそれぞれ示した。このガードルの正面図は図２２と同じになるので、図示を省略した。図２５〜図２６に示したロングタイプのガードル１０ｉにおいては、図２２〜図２４に示したガードル１０ｈと比較すると、図２２〜図２４に示したガードル１０ｈにおいては、強緊締力部１が、ガードル後側の人体の第４腰椎から仙骨に相当する位置２に於いて左右部分が連結しているのに対し、図２５〜図２６に示したガードル１０ｉにおいては、強緊締力部１が、ガードル後側の人体の仙骨に相当する位置２ａに於いて左右部分が連結している。これ以外の点は実質上図２２〜図２４に示したロングタイプのガードル１０ｈと同様であるので、同一部分には同一の符号を付して詳細な説明を省略している。
【００５５】
図２５〜図２６に示したガードル１０ｉにおいては、強緊締力部１が大殿筋をカバーする面積が、図２２〜図２４に示したロングタイプのガードル１０ｈと比べて若干少なくなり、その割合だけ強緊締力部１の機能がやや減少するが、それでも十分に大殿筋をその筋繊維方向にサポートすることができる。従って図２５〜図２６に示したガードル１０ｉにおいても、図２２〜図２４に示したロングタイプのガードル１０ｈとほぼ同様の機能を発揮できるガードルが得られる。
【００５６】
次に図２７〜図２９に本発明の衣料である更に別の態様のロングタイプのガードルの着用状態における正面図、左側面図、背面図をそれぞれ示した。図２７〜図２９に示したロングタイプのガードル１０ｊにおいては、強緊締力部５と強緊締力部６の配置は、正面側においては、図１３に示したガードルの正面図で示したものと同様である。また強緊締力部１がガードル後側の人体の仙骨に相当する位置２ａに於いて左右部分が連結している点で図２６に示したガードルと同様である。このガードルの特異な点は、強緊締力部１と強緊締力部５とが大転子３の位置で合体した後、更に腸脛靭帯（図７１の３１１参照）の筋繊維方向にほぼ沿って下方に伸びて膝蓋部より少し上の部分にまで至る強緊締力部１ｂを有する点である。尚、強緊締力部１と、強緊締力部１ｂ又は図３１において後述する強緊締力部１ｃとが一体となった強緊締力部を強緊締力部（Ａ３）と称することにする。
【００５７】
図２７〜図２９に示したガードル１０ｊにおいては、強緊締力部５で表わされる部分が、大転子３近傍で強緊締力部１と合体し、更に腸脛靭帯の筋繊維方向にほぼ沿って下方に伸びて膝蓋部に至る強緊締力部１ｂを有するので、大転子３近傍を強緊締力部５と強緊締力部１と強緊締力部１ｂの３方向から引っ張って押圧することができ、図１３〜図１５に示したガードルに比べて、大転子３を押さえる機能が更に一層強化されており、大腿骨頭２０４と寛骨臼との結合をより良好にし、股関節の安定性を向上させる機能がより強化される。そのほか図１３〜図１５のガードルと同じ位置の強緊締力部６、５、９は図１３〜図１５のガードルと同じ機能を発揮し、図２５〜図２６のガードルと同じ位置の強緊締力部１は図２５〜図２６のガードルと同じ機能を発揮する。
【００５８】
次に図３０〜図３１に本発明の衣料である更に別の態様のロングタイプのガードルの着用状態における左側面図、背面図をそれぞれ示した。このガードルの正面図は図２７と同じになるので、図示を省略した。図３０〜図３１に示したロングタイプのガードル１０ｋにおいては、図２７〜図２９に示したガードル１０ｊと比較すると、図２７〜図２９に示したガードル１０ｊにおいては、強緊締力部１と強緊締力部５とが大転子３の位置で合体した後、更に腸脛靭帯の筋繊維方向にほぼ沿って下方に伸びて膝蓋部に至る強緊締力部１ｂを有するのに対し、図３０〜図３１に示したロングタイプのガードル１０ｋにおいては、強緊締力部１と強緊締力部５とが大転子３の位置で合体した後、強緊締力部１が更に外側広筋（図７０の３０５参照）の筋繊維方向にほぼ沿って人体中心側に向かって斜め下方に伸びて膝蓋部の少し上の部分にまで至る強緊締力部１ｃを有している。強緊締力部１ｃにより外側広筋をサポートし、この筋肉のマッサージ効果が生起し、筋肉疲労の回復が促進されるなどの機能が発揮される。その他の点については図２７〜図２９に示したガードル１０jとほぼ同様の機能が発揮できる。
【００５９】
次に図３２〜図３３に本発明の衣料である更に別の態様のロングタイプのガードルの着用状態における左側面図、背面図をそれぞれ示した。このガードルの正面図は図２７と同じになるので、図示を省略した。図３２〜図３３に示したロングタイプのガードル１０ｍにおいては、図２７〜図２９に示したガードル１０ｊと比較すると、図２７〜図２９に示したガードル１０ｊにおいては、強緊締力部１と強緊締力部５とが大転子３の位置で合体した後、更に腸脛靭帯の筋繊維方向にほぼ沿って下方に伸びて膝蓋部に至る強緊締力部１ｂを有するのに対し、図３２〜図３３に示したロングタイプのガードル１０ｍにおいては、強緊締力部１と強緊締力部５とが大転子３の位置で合体した後、図２３、図２４のガードルと同様に強緊締力部５が大転子３近傍から更に大腿部後ろ側のハムストリングスの少なくとも一部をカバーして腓骨の上端近傍にまで伸びており、強緊締力部５と強緊締力部５ａとが一体となって強緊締力部（Ｂ３）を形成している。強緊締力部５ａにより、大腿四頭筋、ハムストリングスのほぼ筋肉収縮方向をサポートしているので、スポーツを行う場合に、脚部のこれらの筋肉のマッサージ効果による筋肉疲労の回復を促進する機能、走行動作における地面を強く後ろに押す機能、ジャンプ時により高く跳ぶ機能、足を上げる機能などがより強化される。また高齢者が着用した場合には、転倒を防止し歩行の安定性を高める機能がより一層強化される。その他の機能は図２７〜図２９のガードル１０ｊとほぼ同様の機能を発揮できる。
【００６０】
次に図３４〜図３６に本発明の衣料のスポーツ用タイツの正面図、背面図、左側面図をそれぞれ示した。図３７は図３５のＡ−Ａ’ラインにおける断面略図である。図３４〜図３７に示したスポーツ用タイツ３０ａにおいては、強緊締力部６、５、９は図３０〜図３１に示したガードル１０kの強緊締力部と同様の強緊締力部である。図３４〜図３７に示したスポーツ用タイツ３０ａにおいては、強緊締力部１が大転子３近傍から更に腸脛靭帯及び外側広筋近傍上をほぼその筋繊維方向に沿って通り、膝蓋部３５の側面に至り、更に膝蓋部３５の側面から、腓腹筋及びヒラメ筋をサポートするために脚部外側で腓腹筋及びヒラメ筋近傍上をほぼその筋繊維方向に沿って通り、外踝部上方近傍に至る部分をカバーしている強緊締力部１ｅを有している。強緊締力部１と１ｅからなる強緊締力部を強緊締力部（Ａ４）と称することにする。また、このスポーツ用タイツ３０ａは、図３７に示されるように、大腿部内側から、内側広筋をサポートするために内側広筋上をほぼその筋繊維方向に沿って通り、膝蓋部３５の側面に至り、更に膝蓋部３５の側面から、腓腹筋及びヒラメ筋をサポートするために脚部内側で腓腹筋及びヒラメ筋近傍上をほぼその筋繊維方向に沿って通り、内踝部上方近傍に至る強緊締力部（Ｅ）３１を更に有する。
【００６１】
尚、膝部については、図３４を用いてさらに詳細に説明すると、外側の強緊締力部１ｅにおいては、膝蓋部３５の上方と下方の内寄りにおいて二ツ山型３６、３７を形成して膝蓋部３５を避ける構造とし、内側の強緊締力部３１においては、膝蓋部３５の上方と下方の外寄りにおいて二ツ山型４０、４１を形成して膝蓋部３５を避ける構造とすると同時に、対向各二ツ山型４０と４１、３６と３７とが交差する構造となることが好ましい。膝部がこのような構造をとることにより、膝蓋靭帯や側副靭帯をサポートする作用を有する。ただし、膝部の強緊締力部の配置は上記の態様に限定されるものではない。なお、このスポーツ用タイツ３０ａの他の本体部分は前記各強緊締力部に比べて緊締力のより小さい伸縮性生地からなっている。尚、図３５において２２は臀溝の位置を模式的に示したものである。
【００６２】
図３４〜図３７に示したスポーツ用タイツ３０ａにおいては、強緊締力部１によりしっかりと大殿筋をその筋繊維方向にサポートすることができる。従って、股関節の伸展、特に骨盤の前後方向への安定性に大きな役割をはたすことができ、また腰の左右への回転角度の現象を防止し、高齢者においては転倒の防止に有効である。また、走行、ジャンプ、スロープを上る際の股関節の前後方向への伸展に大きな役割をはたすことができる。また、強緊締力部１、１ｅ、５が大転子３近傍を３方向からカバーしているので大腿骨頭２０４と寛骨臼との結合を一層良好にし、股関節の安定性を向上させることができる。また、このスポーツ用タイツ３０aにおいては、下腹部の腹直筋上４に於いて強緊締力部５と強緊締力部６とは一体となって連結しているので、腹筋をより強力にサポートし、腰椎の前湾を弱め、良好な姿勢を保持し、体型が若々しく見え、腰痛などの痛みの発生を予防しうる機能がより発揮されやすい。また、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい。また、このスポーツ用タイツ３０ａにおいては、強緊締力部１と強緊締力部１eとからなる強緊締力部（Ａ４）と強緊締力部３１からなる強緊締力部（Ｅ）を有しているので、スポーツにおいてこれらの強緊締力部でサポートしている脚部の筋肉のマッサージ効果が生起し、これらの筋肉の疲労の回復の促進機能を発揮する。また高齢者が着用した場合には、転倒を防止し歩行の安定性を高める機能がより一層強化される。
【００６３】
次に図３８〜図３９に本発明の衣料である別の態様のスポーツ用タイツの背面図、左側面図をそれぞれ示した。正面図は図３４と同一であるので図示を省略した。
【００６４】
図３８〜図３９に示したスポーツ用タイツ３０ｂを、図３４〜図３７に示したスポーツ用タイツ３０ａと比較すると、図３４〜図３７に示したスポーツ用タイツ３０ａにおいては、強緊締力部５で表わされる部分の下方端が、大転子３近傍で終了しているのに対し、図３８〜図３９に示したスポーツ用タイツ３０ｂにおいては、強緊締力部５で表わされる部分が、大転子３近傍から更に大腿部後ろ側のハムストリングスの少なくとも一部をカバーして腓骨(図７０の２０７)の存在する側の膝蓋部の少し上の部分にまで伸びており、強緊締力部５と強緊締力部５ａとが一体となって強緊締力部（Ｂ３）を形成している。前記以外の点は図３４〜図３７に示したスポーツ用タイツ３０ａと同様であるので、同じ部分には同じ符号を付して詳細な説明を省略した。
【００６５】
このスポーツ用タイツ３０ｂにおいては、前記図３４〜図３７に示したスポーツ用タイツ３０ａと同様の機能を有するとともに、強緊締力部５と５aが大転子３近傍において一体となっている強緊締力部（Ｂ３）を有するので、大転子３を押さえる機能が更に一層強化されており、大腿骨頭２０４と寛骨臼との結合をより良好にし、股関節の安定性を向上させる機能がより強化される。そして、強緊締力部５ａにより、ハムストリングスとも呼ばれている大腿二頭筋、半腱様筋、半膜様筋のほぼ筋肉収縮方向をサポートしているので、スポーツを行う場合などにおいて、走行動作における地面を強く後ろに押す機能、ジャンプ時により高く跳ぶ機能、足を上げる機能などがより強化される。また、これらの筋肉のマッサージ効果が生起し、これらの筋肉の疲労の回復が促進される。また高齢者が着用した場合には、転倒を防止し歩行の安定性を高める機能がより一層強化される。
【００６６】
図４０〜図４１に参考例としての衣料である更に別の態様のスポーツ用タイツの背面図、左側面図をそれぞれ示した。正面図は強緊締力部５と６が存在しないことを除いて図３４とほぼ同一である。
【００６７】
図４０〜図４１に示したスポーツ用タイツ３０ｃは、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１を有している。そして強緊締力部１ｆとして人体のウェスト脇側に相当する部分から中殿筋のほぼ筋繊維方向に沿って大転子３近傍に至り（この部分を符号２５で示した。）、大転子３近傍から更に腸脛靭帯及び外側広筋近傍上をほぼその筋繊維方向に沿って通り、膝蓋部３５の側面に至り、更に膝蓋部３５の側面から、腓腹筋及びヒラメ筋をサポートするために脚部外側で腓腹筋及びヒラメ筋近傍上をほぼその筋繊維方向に沿って通り、外踝部上方近傍に至る部分をカバーしている強緊締力部１ｆを有している。また、脚部の内側においては図３７に示したと同様に、大腿部内側から、内側広筋をサポートするために内側広筋上をほぼその筋繊維方向に沿って通り、膝蓋部３５の側面に至り、更に膝蓋部３５の側面から、腓腹筋及びヒラメ筋をサポートするために脚部内側で腓腹筋及びヒラメ筋近傍上をほぼその筋繊維方向に沿って通り、内踝部上方近傍に至る強緊締力部（Ｅ）３１を有する。尚、膝部については、図３４を用いて説明した事項と同一であるから、同一部分には同一の符号を付して説明を省略する。
【００６８】
図４０〜図４１に示したスポーツ用タイツ３０ｃにおいては、強緊締力部１により大殿筋をその筋繊維方向にサポートすることができ、更に強緊締力部１ｆの２５で示した部分により中殿筋をその筋繊維方向にサポートすることができる。従って、股関節の伸展、特に骨盤の前後方向への安定性に大きな役割をはたすことができ、腰の回旋運動をサポートし、腰の回旋可能角度の減少を防止し、高齢者においては転倒の防止に有効である。また、走行、ジャンプ、スロープを上る際の股関節の前後方向への伸展に大きな役割をはたすことができる。また、強緊締力部１及び１ｆが大転子３近傍を３方向からカバーしており、且つ強緊締力部１ｆの符号２５で示した強緊締力部が大転子３にかかる力をほぼ直線状に上方に引っ張っているので大腿骨頭２０４と寛骨臼との結合を一層良好にし、股関節の安定性を向上させることができる。また、このスポーツ用タイツ３０ｃにおいては、強緊締力部１ｆの大転子３から下方に存在する強緊締力部分と脚部内側に存在する強緊締力部（Ｅ）３１によって、スポーツを行う場合に、これらの強緊締力部でサポートされた各筋肉のマッサージ効果が生起し、これらの筋肉の疲労の回復を促進する機能を有する。
【００６９】
次に図４２〜図４３に参考例としての衣料である更に別の態様のスポーツ用タイツの背面図、左側面図をそれぞれ示した。正面図は強緊締力部５と６が存在しないことを除いて図３４とほぼ同一である。図４２〜図４３に示したスポーツ用タイツ３０ｄと図４０〜図４１に示したスポーツ用タイツ３０ｃとを比べると、主な相違点は次のようである。
【００７０】
<1>図４０〜図４１に示したスポーツ用タイツ３０ｃにおいては、強緊締力部１が、スポーツ用タイツ後側の人体の第４腰椎から仙骨に相当する位置２に於いて左右部分が連結しているのに対し、図４２〜図４３に示したスポーツ用タイツ３０ｄにおいては、強緊締力部１が、スポーツ用タイツ後側の人体の仙骨に相当する位置２ａに於いて左右部分が連結している。
【００７１】
<2>図４０〜図４１に示したスポーツ用タイツ３０ｃにおける強緊締力部１ｆの上方部分２５と比べて、図４２〜図４３に示したスポーツ用タイツ２０ｄの強緊締力部１ｇの上方部分２６は若干人体前側方向に湾曲しており、大腿筋膜張筋並びに中殿筋のうちのより外側部分の中殿筋をそれらの筋繊維方向にほぼ沿ってカバーしている。
【００７２】
<3>図４２〜図４３に示したスポーツ用タイツ３０ｄは、強緊締力部（Ｄ）として、ほぼウェスト部の後中心位置８近傍に於いて左右部分が連結しており、前記ウェスト部の後中心位置８近傍から左右の広背筋及び中殿筋及び外腹斜筋の一部に当接される強緊締力部９を更に有していて、この強緊締力部９が強緊締力部１ｇと一体的に結合されている。
【００７３】
スポーツ用タイツ３０ｃと３０ｄには、上記<1>と<2>の点に若干の相違はあるものの、これらの点の差異に基づく機能の差異はあまりみられず、この両者はほぼ同等の機能を有している。但し、スポーツ用タイツ３０ｄは、<3>に記載したように強緊締力部９を更に有しているので、スポーツ用タイツ３０ｃに比べて、骨盤の後傾を防止し、骨盤の位置を安定した位置に保つ機能を補助する機能を更に有する。
【００７４】
次に図４４〜図４５に参考例としての衣料である更に別の態様のスポーツ用タイツの背面図、左側面図をそれぞれ示した。正面図は強緊締力部５と６が存在しないことを除いて図３４とほぼ同一である。図４４〜図４５に示したスポーツ用タイツ３０ｅと図４０〜図４１に示したスポーツ用タイツ３０ｃとを比べると、主な相違点は次のようである。
【００７５】
<1>図４４〜図４５に示したスポーツ用タイツ３０ｅは、大転子３近傍から臀部の膨らみの下方部分に伸びている強緊締力部１２を更に有する。
【００７６】
<2>図４４〜図４５に示したスポーツ用タイツ３０ｅは、強緊締力部（Ｄ）として、ほぼウェスト部の後中心位置８近傍に於いて左右部分が連結しており、前記ウェスト部の後中心位置８近傍から左右の広背筋及び中殿筋及び外腹斜筋の一部に当接される強緊締力部９を更に有していて、この強緊締力部９が強緊締力部１ｆの上端に結合されている。
【００７７】
従ってこのスポーツ用タイツ３０ｅは、図４０〜図４１に示したスポーツ用タイツ３０ｃと同等の機能のほか、強緊締力部１２を有するので、大転子３を押さえる機能がより強化されており、大腿骨頭２０４と寛骨臼との結合をより良好にし、股関節の安定性を向上させる機能がより強化される。更に強緊締力部１２により、ヒップアップ機能を付与することができる。また強緊締力部９を有し、強緊締力部９が強緊締力部１ｆの上端に結合されているので、スポーツ用タイツ３０ｃに比べて、骨盤の後傾を防止し、骨盤の位置を安定した位置に保つ機能を補助する機能を更に有する。
【００７８】
次に図４６〜図４８に本発明の衣料のボディスーツの着用状態における正面図、背面図、左側面図をそれぞれ示した。
【００７９】
図４６〜図４８に示したボディスーツ６０aは上半身部が５０で示され、下半身部が５１で示されている。このボディスーツ６０aは下半身部５１の裾が長めのタイプのボディスーツである。上半身部はストラップと兼ねて背部の一部分を充当している布５２を有している。下半身部５１のそれぞれの強緊締力部の配置は図１９〜図２１に示したガードル１０ｇの場合と実質的に同じである。従ってガードル１０ｇと同じ部分には同じ符号を付して説明を省略している。よってこのボディスーツ６０aは図１９〜図２１に示したガードル１０ｇの場合と実質的に同じ機能を発揮できるボディスーツである。
【００８０】
次に図４９〜図５１に本発明の衣料である更に別の態様のボディスーツの着用状態における正面図、背面図、左側面図をそれぞれ示した。
【００８１】
このボディスーツ６０ｂと図４６〜図４８に示したボディスーツ６０aとの相違点は図４６〜図４８に示したボディスーツ６０aは下半身部５１の裾が長めのタイプのボディスーツであるのに対し、図４９〜図５１に示したボディスーツ６０ｂは下半身部５１の裾が短いタイプのボディスーツである点が異なるのみで、その他の部分は実質的に同一である。従って図４６〜図４８に示したボディスーツ６０aと同じ部分には同じ符号を付して説明を省略している。よってこのボディスーツ６０ｂは図４６〜図４８に示したボディスーツ６０aの場合と実質的に同じ機能を発揮できるボディスーツである。
【００８２】
次に、強緊締力部と、弱緊締力部とを、編組織を変更することによって所定のパターン状に編み分けることによって作成した衣料の例を示す。
【００８３】
以下の例では、強緊締力部を、３種類に編分け、最も緊締力の強い強緊締力部（以下、第１強緊締力部と言う。）、その次に緊締力の強い第２番目の強緊締力部（以下、第２強緊締力部と言う。）、更に、第２番目の強緊締力部に比べれば緊締力は弱いが、弱緊締力部に比べて強い緊締力を有する第３番目の強緊締力部（以下、第３強緊締力部と言う。）とし、その他の部分を弱緊締力部として、４段階に編み分けて、形成した衣料のうち、ロングタイプのガードル（図５２〜図５４）とショートタイプのガードル（図５５〜図５７）についての一実施の形態について説明する。
【００８４】
図５２は、本発明のロングタイプのガードルの前側から見た斜視図、図５３は、その後側から見た斜視図、図５４は、このガードルの後から前脇ならびに脚部に用いられる生地の裁断前の平面図である。
【００８５】
図５２〜図５４に示したロングタイプのガードル１０ｎにおいては、図１９〜図２１に示したガードル１０ｇと比較的よく似ている。図１９〜図２１に示したガードル１０ｇと比較すると、図１９〜図２１に示したガードル１０ｇでは、強緊締力部１が、ガードル後側の人体の第４腰椎から仙骨に相当する位置２に於いて左右部分が連結しているのに対し、図５２〜図５４に示したガードル１０ｎにおいては、強緊締力部１が、ガードル後側の人体の仙骨に相当する位置２ａに於いて左右部分が連結している。また、図５２〜図５４に示したガードル１０ｎでは、強緊締力部６が更にお腹押え用強緊締力部（Ｆ）の脇で下方に折れ曲がり伸びており、強緊締力部５と強緊締力部１の上側に沿って伸びている。また、図５２〜図５４に示したガードル１０ｎでは、裾部分に強緊締力部７０が更に存在している。これ以外の点は実質上図１９〜図２１に示したロングタイプのガードル１０ｇと同様であるので、同一部分には同一の符号を付して詳細な説明を省略している。
【００８６】
そして、このロングタイプのガードルは、強緊締力部を、前述したように第１強緊締力部、第２強緊締力部、第３強緊締力部、及び弱緊締力部の、４段階に編み分けて、形成している。編分けは、いかなる編組織を用いてもよく、編密度や、糸の緊張力の強さを調整できる編分け手法であればいずれの方法でもよいが、この実施の形態では、比較的緊締力の強い部分が丸編みに比べて、より強い緊締力で編み込むことができ、見栄えもよく、伝染によるほつれなどの生じにくい、ジャカード編の経編で、その表側にあらわれる編組織を編み分けて、上述のような第１強緊締力部、第２強緊締力部、第３強緊締力部、及び弱緊締力部の、４段階の編分けを行った。
【００８７】
すなわち、ジャカード編からなる地編が非弾性糸で編まれ、挿入糸として弾性糸を用いた経編地からなっており、緊締力の強弱の要求に応じて前記地編の表側にあらわれる編組織を切り替えて、組織の変化により、所定部分に所定の比較的緊締力の強い部分と比較的緊締力の弱い部分をパターン状に設ける事によって、緊締力の強弱の要求に応じて、所定の位置に所定のパターンで、所望の緊締力を有する部分を編み分けて設けることができる。
【００８８】
ここではパワーネット組織を上記の如く編分けて用いるが、第１強緊締力部、第２強緊締力部、第３強緊締力部をそれぞれサテン調ネット組織とし、弱緊締力部をメッシュ調ネット組織とした。
【００８９】
この地編生地は例えば次の様な方法で製造できる。すなわちジャカード制御装置を有する経編機（例えば米国特許第５，３９０，５１２号（対応日本特開平６-１６６９３４号）など参照、あるいは具体的には糸ガイドバーに曲げ変換器が取り付けられているカールマイヤーテキスタイルマシーンファブリックGmbH社製（日本マイヤー株式会社発売）の高速ジャカードラッシェル機“ＲＳＪ  ４／１”）などを用いて、ジャカード制御装置を有する経編機のコンピーターに各ウェールと各コースに関して所定位置に所定の編組織が達成されるように指令を入力することにより実現できる。
【００９０】
ここでは、強緊締力部を、第１強緊締力部、第２強緊締力部、第３強緊締力部の３段階に区別するのに、１繰り返しの編単位中の、２針以上（ここでは２針）の振りが入った割合を多くするか、中程度にするか、少なくするかによって編み分けている。２針振るとは、あるウェールを編む際に、（１）隣のウェールに振り、（２）次に、本来のウェールに戻して編む、と言う方法で２針の振りが達成できる。前記（１）と（２）を１繰り返しの編単位中、多く入れれば入れるほど、強緊締力部の緊締力をより強くすることができる。また、弱緊締力部は、ここではサテン調ネット組織に比べて、空間部分が大きく、単位当たりの糸の密度の少ないメッシュ調ネット組織を用いた。
【００９１】
このような編分けは、例えば特開平１０−９６１４７号や国際出願番号ＰＣＴ／ＪＰ９９／０１０９８号などにも詳述されているので、必要とあれば、これらを参照できる。
【００９２】
なお、本実施態様においては、地編組織を構成する糸として、表側にあらわれる糸も裏側にあらわれる糸も、２０デニールのナイロン糸を用いた。挿入糸として各ウェールごとに１本づつの２８０デニールのポリウレタン弾性糸と４０デニールのポリウレタン弾性糸を用い、４０デニールのポリウレタン弾性糸については、ウェール方向に対して蛇行して挿入、言い換えれば複数のウェールにまたがって蛇行して挿入されており、従って、ウェール方向だけでなく、それと直角方向であるコース方向の２方向に伸縮性が発現されるようにした。２８０デニールのポリウレタン弾性糸は、ほぼ同一ウェール上に挿入されて、主としてウェール方向の伸縮性に寄与している。なお、これらのポリウレタン弾性糸は、地編の表側にあらわれる編組織の変化にかかわらず、地編組織全体に、上述の手法ならびに割合でほぼ均等に挿入されている。生地全体のナイロン糸とポリウレタン弾性糸の使用割合は、ナイロン糸８０重量％、ポリウレタン弾性糸２０重量％とした。
【００９３】
しかして、図５２〜図５３に示したロングタイプのガードルにおいて、強緊締力部（Ａ）として、ガードル後側の人体の仙骨に相当する位置２ａに於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１は、大転子３の存在する部分の区画を２針の振りの入った割合の多い、第１強緊締力部で構成し、大転子３の存在する部分の区画を除いた強緊締力部１は、２針の振りの入った割合が中くらいの割合の、第２強緊締力部で構成されている。下腹部中央部の符号２０で示されるお腹押え用強緊締力部（Ｆ）は、第２強緊締力部で構成されている。
【００９４】
前記お腹押え用強緊締力部（Ｆ）２０の左右のやや下脇側に連結されている強緊締力部５と、大転子３の存在する部分の区画を介して、それに連なる強緊締力部１２が一体となって強緊締力部（Ｂ２）が形成されているが、大転子３の存在する部分の区画を除いて、強緊締力部５と強緊締力部１２は、第２強緊締力部で構成されている。
【００９５】
更に、強緊締力部（Ｃ）の一態様である強緊締力部６、その後ろのウェスト部分を一体となってカバーする強緊締力部（Ｄ）の強緊締力部９で示される部分は、第３強緊締力部で構成されている。また、裾部分の強緊締力部７０は、第２強緊締力部で構成されている。
【００９６】
その他の部分、すなわち、７１で示される臀部上部の部分、７２で示される脚部の一部部分、７３で示される臀裂部の左右やや上方部分、７４で示される腹部上部は、弱緊締力部であるメッシュ調ネット組織で構成されている。
【００９７】
このガードルにおいても、強緊締力部（Ａ）として、ガードル後側の人体の仙骨に相当する位置２ａに於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１を有している。従って、しっかりと大殿筋をその筋繊維方向にサポートすることができる。これにより、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。
【００９８】
また、強緊締力部５で表わされる部分が、大転子３近傍から更に臀部の膨らみの下方部分に伸びた強緊締力部１２と一体となって強緊締力部（Ｂ２）を形成している。従ってこのガードルは強緊締力部（Ｂ２）の存在により、大転子３を押さえる機能がより強化されており、大腿骨頭２０４と寛骨臼との結合をより良好にし、股関節の安定性を向上させる機能がより強化される。更に強緊締力部１２により、ヒップアップ機能を付与することができる。
【００９９】
また、左右の強緊締力部５と左右の強緊締力部６は、それぞれお腹押え用強緊締力部（Ｆ）２０を介して連結しているので、腹筋をより強力にサポートし、腰椎の前湾を弱め、良好な姿勢を保持し、体型が若々しく見え、腰痛などの痛みの発生を予防しうる機能がより発揮されやすい。また、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい。
【０１００】
更に、裾部分の強緊締力部７０は、第２強緊締力部で構成されているので、裾のずり上がりを防止できる。この部分が面状に太腿部分を押えるので、裾にゴムテープなどを付けた場合に比べて、食い込みがなく着用感に優れている。
【０１０１】
しかも、このガードルは強緊締力部が、布の裏打ちなどによって形成されたものではなく、編組織を編み分けて形成した強緊締力部であるから、強緊締力部と弱緊締力部の境目に実質上段差がない。従って、この境目の段差がアウターウェァーに反映して、アウターウェァーに段差があらわれて、着用者の外観を見苦しくするおそれがない。
【０１０２】
なお、図５４は、このガードルの後から前脇ならびに脚部に用いられる生地の裁断前の平面図であるが、点線ラインＡ−Ｂ−Ｃ−Ｄ−Ｅ−Ｆ−Ｇ−Ａで囲まれた部分が、図５２のお腹押え用強緊締力部２０と腹部上部７４の部分を除いた右側の前から後ろにかけての身頃（充当生地）の裁断ラインを示している。なお、点線ラインＨ−Ｉ−Ｊで囲まれた部分７５は、クロッチに充当するピースの裁断ラインである。Ｇ−Ｆのラインが、ガードルの後ろの中心ラインとなる。図５４の各部分には、図５２、図５３と同じ部分には同じ符号が付与されているので、図５４に示された各部分のどの部分が、図５２、図５３のどの部分を構成するかは、容易に理解される。図５４において、このジャカードラッシェル経編地を形成している糸の供給方向すなわちウェール方向は、矢印Ｓの方向である。
【０１０３】
この実施態様で示したガードルは、上記図５４で示した、ガードルの後から前脇ならびに脚部に用いられる生地について、左身側と右身側の２枚、７５で示されたクロッチ布、図５２の腹部上部７４とお腹押え用強緊締力部（Ｆ）２０が編み分けられて一体になっている腹部布の合計４枚の生地から構成されている。
【０１０４】
次に、図５５〜図５７を引用して、本発明の衣料の一実施の形態である、ショートタイプのガードルについて説明する。
【０１０５】
図５５は、本発明のショートタイプのガードルの前側から見た斜視図、図５６は、その後側から見た斜視図、図５７は、このガードルの後から前脇部に用いられる生地の裁断前の平面図である。
【０１０６】
図５５〜図５７に示したショートタイプのガードル１０ｐにおいては、図５２〜図５４に示したロングタイプのガードル１０ｎと比較的類似部分が多い。従って、ロングタイプのガードル１０ｎと、同一部分には同一の符号を付して詳細な説明を省略している。
【０１０７】
このショートタイプのガードル１０ｐにおいても、強緊締力部１が、ガードル後側の人体の仙骨に相当する位置２ａに於いて左右部分が連結している。また、図５２〜図５４に示したガードル１０ｎと同様に、強緊締力部６が更にお腹押え用強緊締力部（Ｆ）の脇で下方に折れ曲がり伸びており、強緊締力部５と強緊締力部１の上側に沿って伸びている。なお、図５５に示されるお腹押え用強緊締力部（Ｆ）２０の下側に、前裾部分７６が、接ぎライン７９で縫製により取り付けられている。（従って、前裾部分７６は、お腹押え用強緊締力部（Ｆ）２０腹部通常のパワーネットの部分と編分けによって形成したものではない。この生地は通常の編分けを必要としない経編で作成されたパワーネット組織の生地である。この部分の緊締力は特に限定されないが、第３の強緊締力部のランクに相当する。）。７８は、脚部穴である。
【０１０８】
そして、このショートタイプのガードルは、強緊締力部を、前述したように第１強緊締力部、第２強緊締力部、第３強緊締力部、及び弱緊締力部の、４段階に編み分けて、形成している。編分けは、前記図５２〜図５４に示したロングタイプのガードルで用いたと同様に、ジャカード編の経編で、地編の表側にあらわれる編組織を編み分けて、上述のような第１強緊締力部、第２強緊締力部、第３強緊締力部、及び弱緊締力部の、４段階の編分けを行った。
【０１０９】
すなわち、ジャカード編からなる地編が非弾性糸で編まれ、挿入糸として弾性糸を用いた経編地からなっており、緊締力の強弱の要求に応じて前記地編の表側にあらわれる編組織を切り替えて、組織の変化により、所定部分に所定の比較的緊締力の強い部分と比較的緊締力の弱い部分をパターン状に設ける事によって、緊締力の強弱の要求に応じて、所定の位置に所定のパターンで、所望の緊締力を有する部分を編み分けて設けている。
【０１１０】
この例においても、パワーネット組織を上記の如く編分けて、第１強緊締力部、第２強緊締力部、第３強緊締力部をそれぞれサテン調ネット組織とし、弱緊締力部をメッシュ調ネット組織とした。
【０１１１】
ここでも、前記の例と同様に、強緊締力部を、第１強緊締力部、第２強緊締力部、第３強緊締力部の３段階に区別するのに、１繰り返しの編単位中の、２針の振りが入った割合を多くするか、中程度にするか、少なくするかによって編み分けている。また、弱緊締力部は、ここではサテン調ネット組織に比べて、空間部分が大きく、単位当たりの糸の密度の少ないメッシュ調ネット組織を用いた。
【０１１２】
なお、本実施態様においては、地編組織を構成する糸として、表側にあらわれる糸も裏側にあらわれる糸も、２０デニールのナイロン糸を用いた。挿入糸として各ウェールごとに１本づつの２８０デニールのポリウレタン弾性糸と４０デニールのポリウレタン弾性糸を用い、４０デニールのポリウレタン弾性糸については、ウェール方向に対して蛇行して挿入、言い換えれば複数のウェールにまたがって蛇行して挿入されており、従って、ウェール方向だけでなく、それと直角方向であるコース方向の２方向に伸縮性が発現されるようにした。２８０デニールのポリウレタン弾性糸は、ほぼ同一ウェール上に挿入されて、主としてウェール方向の伸縮性に寄与している。なお、これらのポリウレタン弾性糸は、地編の編組織の変化にかかわらず、地編組織全体に、上述の手法ならびに割合でほぼ均等に挿入されている。生地全体のナイロン糸とポリウレタン弾性糸の使用割合は、ナイロン糸８０重量％、ポリウレタン弾性糸２０重量％とした。
【０１１３】
なお、前裾部分７６のパワーネット組織の生地は、２０デニールのナイロン糸８０重量％と２０重量％のポリウレタン弾性糸からなり、ポリウレタン弾性糸は、挿入糸として用いられ、４０デニールのポリウレタン弾性糸を各ウェールごとに１本づつ挿入した。４０デニールのポリウレタン弾性糸は、ほぼ同一ウェール上に挿入されて、主としてウェール方向の伸縮性に寄与している。
【０１１４】
しかして、図５５〜図５７に示したショートタイプのガードルにおいて、強緊締力部（Ａ）として、ガードル後側の人体の仙骨に相当する位置２ａに於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１は、大転子３の存在する部分の区画を２針の振りの入った割合の多い、第１強緊締力部で構成し、大転子３の存在する部分の区画を除いた強緊締力部１は、２針の振りの入った割合が中くらいの割合の、第２強緊締力部で構成されている。下腹部中央部の符号２０で示されるお腹押え用強緊締力部（Ｆ）は、第２強緊締力部で構成されている。
【０１１５】
前記お腹押え用強緊締力部（Ｆ）２０の左右のやや下脇側に連結されている強緊締力部５と、大転子３の存在する部分の区画を介して、それに連なる強緊締力部１２が一体となって強緊締力部（Ｂ２）が形成されているが、大転子３の存在する部分の区画を除いて、強緊締力部５と強緊締力部１２は、第２強緊締力部で構成されている。
【０１１６】
更に、強緊締力部（Ｃ）の一態様である強緊締力部６、その後ろのウェスト部分を一体となってカバーする強緊締力部（Ｄ）の強緊締力部９で示される部分は、第３強緊締力部で構成されている。
【０１１７】
その他の部分、すなわち、７１で示される臀部上部の部分、７３で示される臀裂部の左右やや上方部分、７４で示される腹部上部は、弱緊締力部であるメッシュ調ネット組織で構成されている。
【０１１８】
このガードルにおいても、強緊締力部（Ａ）として、ガードル後側の人体の仙骨に相当する位置２ａに於いて左右部分が連結しており、前記位置から左右の大殿筋のほぼ中間部でほぼ大殿筋の筋繊維方向に沿って臀部の膨らみの頂点又はその近傍を通り少なくとも大転子３近傍に至る部分をカバーしている強緊締力部１を有している。従って、しっかりと大殿筋をその筋繊維方向にサポートすることができる。これにより、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。
【０１１９】
また、強緊締力部５で表わされる部分が、大転子３近傍から更に臀部の膨らみの下方部分に伸びた強緊締力部１２と一体となって強緊締力部（Ｂ２）を形成している。従ってこのガードルは、強緊締力部（Ｂ２）の存在により、大転子３を押さえる機能がより強化されており、大腿骨頭２０４と寛骨臼との結合をより良好にし、股関節の安定性を向上させる機能がより強化される。更に強緊締力部１２により、ヒップアップ機能を付与することができる。
【０１２０】
また、左右の強緊締力部５と左右の強緊締力部６は、それぞれお腹押え用強緊締力部（Ｆ）２０を介して連結しているので、腹筋をより強力にサポートし、腰椎の前湾を弱め、良好な姿勢を保持し、体型が若々しく見え、腰痛などの痛みの発生を予防しうる機能がより発揮されやすい。また、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい。
【０１２１】
しかも、このガードルは強緊締力部が、布の裏打ちなどによって形成されたものではなく、編組織を編み分けて形成した強緊締力部であるから、強緊締力部と弱緊締力部の境目に実質上段差がない。従って、この境目の段差がアウターウェァーに反映して、アウターウェァーに段差があらわれて、着用者の外観を見苦しくするおそれがない。
【０１２２】
なお、図５７は、このガードルの後から前脇に用いられる生地の裁断前の平面図であるが、点線ラインＡ−Ｂ−Ｃ−Ｄ−Ｅ−Ａで囲まれた部分が、図５５のお腹押え用強緊締力部２０と腹部上部７４の部分を除いた右側の前から後ろにかけての身頃（充当生地）の裁断ラインを示している。なお、点線ラインＦ−Ｇ−Ｈ−Ｉで囲まれた部分７５は、クロッチ７５に充当するピースの裁断ラインである。Ｅ−Ｄのラインが、ガードルの後ろの中心ラインとなる。図５７の各部分には、図５５、図５６と同じ部分には同じ符号が付与されているので、図５７に示された各部分のどの部分が、図５５、図５６のどの部分を構成するかは、容易に理解される。尚、図５７において、このジャカードラッシェル経編地を形成している糸の供給方向すなわちウェール方向は、矢印Ｓの方向である。
【０１２３】
この実施態様で示したガードルは、上記図５７で示した、後から前脇に用いられる生地について、左身側と右身側の２枚、７５で示されたクロッチ布、図５５の腹部上部７４とお腹押え用強緊締力部（Ｆ）２０が編み分けられて一体になっている腹部布、及び左右の前裾部分７６の合計６枚の生地から構成されている。
【０１２４】
次に図５８〜図６０に本発明の衣料である更に別の態様のショートタイプのガードルの着用状態における正面図、左側面図、背面図をそれぞれ示した。図５８〜図６０に示したショートタイプのガードル１０ｑにおいては、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り大転子３近傍に至る部分をカバーしている強緊締力部１を有している。また、図１９と同様に下腹部中央部に主たる伸縮方向が衣料縦方向のお腹押え用強緊締力部（Ｆ）２０が存在している。更に、ガードル１０ｑの裾周りについては、８０が前裾布であり、この態様では、縁部がほつれ防止処理されている、いわゆる端始末を必要としない伸縮性の布（従って裾縁部分を折り返して縫製するような端始末を施していない裾縁部分が平坦な布）であり、且つ身体にフィットするよう強緊締力を有するパワーネット編物を採用している。そしてこの前裾布８０の強緊締力部に連なってその脇側から脇裾に沿って、大転子３近傍に至る強緊締力部５ｂと更にそれが後ろ裾に沿って臀部の膨らみの下方部分に伸びている強緊締力部１２を有している。強緊締力部である前裾布８０はお腹押え用強緊締力部（Ｆ）２０に連なっているので、前裾布８０を腹押え用強緊締力部の延長と考えると、前記前裾布８０と強緊締力部５ｂとは、図１６〜図１８で示したガードルのお腹押え用強緊締力部（Ｆ）２０と強緊締力部５の合わさったものとほぼ同様の作用をする下腹部の腹直筋上の位置から左右の内腹斜筋のほぼ筋繊維方向に沿って斜め下方向に向かい大転子３近傍に至る部分をカバーしている強緊締力部５とほぼ同等と見なすことが可能である。
【０１２５】
よって、本態様のショートタイプのガードル１０ｑは、強緊締力部１が大殿筋の筋繊維方向に沿って臀部の膨らみの頂点又はその近傍を通っており、しかも、ガードル後側の人体の第４腰椎から仙骨に相当する位置２に於いて左右部分が連結しているので、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、強緊締力部１と５ｂ並びに１２が大転子３近傍をカバーしているので大腿骨頭２０４と寛骨臼との結合を良好にし、股関節の安定性を向上させる機能を発揮する。更に、前裾布８０を前述したようにお腹押え用強緊締力部（Ｆ）２０の延長と考えるとこれらと強緊締力部５ｂにより、腹直筋３０１の一部と内腹斜筋をサポートし、腰椎の前湾を弱め、良好な姿勢を保持し、体型が若々しく見え、腰痛などの痛みの発生を予防しうる機能を発揮できる。更に強緊締力部１２により、ヒップアップ機能を付与することができる。
【０１２６】
次に図６１〜図６３に本発明の衣料である更に別の態様のショートタイプのガードルの着用状態における正面図、左側面図、背面図をそれぞれ示した。図６１〜図６３に示したショートタイプのガードル１０ｒにおいては、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り大転子３近傍に至る部分をカバーしている強緊締力部１を有している。また、下腹部中央部に主たる伸縮方向が衣料縦方向のお腹押え用強緊締力部（Ｆ）２０が存在し、前記お腹押え用強緊締力部（Ｆ）２０の左右のやや下脇側に強緊締力部５のそれぞれ左右の一端が連結されており、前記（Ｆ）２０の左右の上脇側に強緊締力部６のそれぞれ左右の一端が連結されている。図１９と若干異なるのは、強緊締力部５と６が脇側で連なっている点である。また、強緊締力部５で表わされる部分が、大転子３近傍から更に強緊締力部１２で示されるように後ろ裾に沿って臀部の膨らみの下方部分に伸びており、強緊締力部５と強緊締力部１２が一体となった強緊締力部（Ｂ２）を有している。また、強緊締力部（Ｄ）として、ほぼウェスト部の後中心位置８近傍に於いて左右部分が連結しており、前記ウェスト部の後中心位置８近傍から左右の広背筋３０８及び中殿筋３０９及び外腹斜筋３０２の一部に当接され少なくとも脇７を前面側に超える位置までの部分をカバーしている強緊締力部９を有し、更にまた、下腹部の腹直筋上４に於いて左右部分が連結しており、前記下腹部の腹直筋上４の位置（お腹押え用強緊締力部（Ｆ）２０）から左右の外腹斜筋のほぼ筋繊維方向に沿って斜め上方に向かい少なくとも脇７を背面側に超える位置に至る部分をカバーしている強緊締力部６を有していて、前記強緊締力部６と強緊締力部９とは一体となって連結していて、強緊締力部１１を形成している。よって、このショートタイプのガードル１０ｒにおいては、強緊締力部５、６、９（１１）、１２が一連に連なって形成されており、特に限定するものではないが、このような態様は、先の図５２〜図５７の実施の形態で示したジャカードラッセル編みによって地編みの表側にあらわれる編組織を切り替えて、組織の変化により、所定部分に所定の比較的緊締力の強い部分と比較的緊締力の弱い部分をパターン状に設ける手法が容易に適用できる態様の衣料である。
【０１２７】
以上に説明したこのショートタイプのガードル１０ｒにおいては、強緊締力部１が大殿筋の筋繊維方向に沿って臀部の膨らみの頂点又はその近傍を通っており、しかも、ガードル後側の人体の第４腰椎から仙骨に相当する位置２に於いて左右部分が連結しているので、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、強緊締力部１と５並びに１２が大転子３近傍をカバーしているので大腿骨頭２０４と寛骨臼との結合を良好にし、股関節の安定性を向上させる機能を発揮できる。
【０１２８】
また、お腹押え用強緊締力部（Ｆ）２０と強緊締力部５により、腹直筋３０１の一部と内腹斜筋をサポートし、腰椎の前湾を弱め、良好な姿勢を保持し、体型が若々しく見え、腰痛などの痛みの発生を予防しうる機能を発揮できる。更に強緊締力部１２により、ヒップアップ機能を付与することができる。
【０１２９】
また、お腹押え用強緊締力部（Ｆ）２０と強緊締力部６により、腹直筋３０１の一部と外腹斜筋３０２をサポートし、腰椎の前湾を弱め、良好な姿勢を保持し、体型が若々しく見え、腰痛などの痛みの発生を予防しうる機能を発揮するとともに、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい。
【０１３０】
しかも、ショートタイプのガードル１０ｒにおいては、前ウェスト布８２として、トリコットなどの緊締力の小さい伸縮性を有するソフトな生地を２つ折りにしてワサ（折り返し部分）がウェスト上端側となるように配置している。従ってお腹押え用強緊締力部（Ｆ）２０がもしウエスト上端まで到達している場合には、強緊締力部６と強緊締力部９とが一体となって連結している強緊締力部１１で強いパワーがウェストにかかるようにしているが、これらとお腹押え用強緊締力部（Ｆ）２０とで締め付けパワーが強くなりすぎて着用感が低下することを改良し、胃の上部になるウェスト前側部にかかるパワーをソフトにし、脇から背面にかけては強緊締力部１１で強いパワーがウェストにかかるようにして着用感と機能の発揮とをバランスさせた衣料が提供できる。
【０１３１】
次に図６４〜図６６に本発明の衣料である更に別の態様のショートタイプのガードルの着用状態における正面図、左側面図、背面図をそれぞれ示した。図６４〜図６６に示したショートタイプのガードル１０ｓにおいては、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り大転子３近傍に至る部分をカバーしている強緊締力部１を有している。また、図５８と同様に下腹部中央部に主たる伸縮方向が衣料縦方向のお腹押え用強緊締力部（Ｆ）２０が存在している。更に、ガードル１０ｓの裾周りについては、８０が前裾布であり、この態様では、縁部がほつれ防止処理されている、いわゆる端始末を必要としない伸縮性の布（従って裾縁部分を折り返して縫製するような端始末を施していない裾縁部分が平坦な布）であり、身体にフィットするよう強緊締力を有するパワーネット編物を採用している。そしてお腹押え用強緊締力部（Ｆ）２０と前裾布８０の強緊締力部に連なってその脇側から脇裾に沿って、大転子３近傍に至る強緊締力部５を有している。強緊締力部５はお腹押え用強緊締力部（Ｆ）２０に連なっているので、強緊締力部５とお腹押え用強緊締力部（Ｆ）２０は、図１９で示したガードルのお腹押え用強緊締力部（Ｆ）２０と強緊締力部５とほぼ同様の機能を有する下腹部の腹直筋上の位置から左右の内腹斜筋のほぼ筋繊維方向に沿って斜め下方向に向かい大転子３近傍に至る部分をカバーしている強緊締力部５と同等と見なされる。
【０１３２】
よって、本態様のショートタイプのガードル１０ｓは、強緊締力部１が大殿筋の筋繊維方向に沿って臀部の膨らみの頂点又はその近傍を通っており、しかも、ガードル後側の人体の第４腰椎から仙骨に相当する位置２に於いて左右部分が連結しているので、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、強緊締力部１と５が大転子近傍をカバーしているので大腿骨頭２０４と寛骨臼との結合を良好にし、股関節の安定性を向上させる機能を発揮する。更に、お腹押え用強緊締力部（Ｆ）２０と強緊締力部５により、腹直筋３０１の一部と内腹斜筋をサポートし、腰椎の前湾を弱め、良好な姿勢を保持し、体型が若々しく見え、腰痛などの痛みの発生を予防しうる機能を発揮できる。なお、８３はショートタイプのガードル本体の後ろ側の裾ラインである。
【０１３３】
次に図６７〜図６９に本発明の衣料である更に別の態様のショートタイプのガードルの着用状態における正面図、左側面図、背面図をそれぞれ示した。図６７〜図６９に示したショートタイプのガードル１０ｔにおいては、強緊締力部（Ａ）として、ガードル後側の人体の第４腰椎から仙骨に相当する位置２に於いて左右部分が連結しており、前記位置から左右の大殿筋のほぼ中間部でほぼ大殿筋の筋繊維方向に沿って臀部の膨らみの頂点又はその近傍を通り大転子３近傍に至る部分をカバーしている強緊締力部１を有している。また、強緊締力部（Ｃ）として、下腹部の腹直筋上４に於いて左右部分が連結しており、前記下腹部の腹直筋上４から左右の外腹斜筋のほぼ筋繊維方向に沿って斜め上方に向かい少なくとも脇を背面側に超える位置までの部分をカバーしている強緊締力部６を有しているとともに、強緊締力部（Ｄ）として、ほぼウェスト部の後中心位置８近傍に於いて左右部分が連結しており、前記ウェスト部の後中心位置８近傍から左右の広背筋３０８及び中殿筋３０９及び外腹斜筋３０２の一部に当接され少なくとも脇を前面側に超える位置までの部分をカバーしている強緊締力部９を有し、前記強緊締力部６と強緊締力部９とは一体となって連結していて、強緊締力部１１を形成している。
【０１３４】
更に強緊締力部（Ｂ）として、左右の内腹斜筋のほぼ筋繊維方向に沿って斜め下方向に向かい大転子３近傍に至る部分をカバーしている強緊締力部５を有している。この態様のガードルの強緊締力部５は、「下腹部の腹直筋上４に於いて左右部分が連結しており、前記下腹部の腹直筋上４の位置から強緊締力部５が出発している」という条件を形式上は満たしていないが、強緊締力部５は強緊締力部６の下側の左右の縁に連なって連結されており、強緊締力部６の下側部分が、強緊締力部５の機能を兼ねており、従って、実質上は、下腹部の腹直筋上４に於いて左右部分が連結しており、前記下腹部の腹直筋上４の位置から強緊締力部５が出発していると見なせ、実質上は同等である。強緊締力部５と強緊締力部６とは縫製ラインが存在しているだけであり、もし、強緊締力部５と強緊締力部６とが一体の一枚の生地で作成されているとすれば、図１３に示したものと同等になる。従って、図１３で示した強緊締力部５と強緊締力部６とが一体のものに強緊締力部５と強緊締力部６とが交わる部分に、強緊締力部６の外側のラインに沿って縫製ラインを設けたものと同等になる。なお、８３はショートタイプのガードル本体の後ろ側の裾ラインである。
【０１３５】
従ってこの態様のショートタイプのガードル１０ｔにおいては、強緊締力部１が大殿筋の筋繊維方向に沿って臀部の膨らみの頂点又はその近傍を通っており、しかも、ガードル後側の人体の第４腰椎から仙骨に相当する位置２に於いて左右部分が連結しているので、しっかりと大殿筋をその筋繊維方向にサポートすることができる。従って、腰の回旋運動をサポートし腰の回旋角度の減少を防止し、骨盤の前後方向への安定に大きな役割をはたすことができ、高齢者においては転倒の防止に有効である。また、走行、ジャンプ、スロープを上る際の股関節の前後方向への伸展に大きな役割をはたすことができる。また、強緊締力部１と５が大転子３近傍をカバーしているので大腿骨頭２０４と寛骨臼との結合を良好にし、股関節の安定性を向上させる機能を発揮できる。また、強緊締力部５により、腹直筋３０１の一部と内腹斜筋をサポートし、腰椎の前湾を弱め、良好な姿勢を保持し、体型が若々しく見え、腰痛などの痛みの発生を予防しうる機能を発揮できる。
【０１３６】
また、強緊締力部６により、腹直筋３０１の一部と外腹斜筋３０２をサポートし、腰椎の前湾を弱め、良好な姿勢を保持し、体型が若々しく見え、腰痛などの痛みの発生を予防しうる機能を発揮するとともに、強緊締力部６と強緊締力部９とは一体となって連結していて、強緊締力部１１を形成しているので、ウェスト部の後中心位置８近傍から左右の広背筋３０８及び中殿筋３０９及び外腹斜筋３０２をより強力にサポートし、骨盤の後傾を防止し、骨盤の位置を安定した位置に保つ機能がより発揮されやすい衣料を提供できる。
【０１３７】
以上、衣料の実施の態様として、ガードル、スポーツ用タイツ、ボディスーツについての具体例を挙げて本発明を説明したが、本発明はこれらの実施の態様のみに限定されるものではなく、スパッツ、レオタード、水着、その他の少なくとも下半身の一部をカバーし股部を有しており、人体にフィットさせて着用する伸縮性生地からなる衣料に適用可能である。
【０１３８】
また、本発明の衣料において、少なくとも下半身の一部をカバーし股部を有しており人体にフィットさせて着用する伸縮性生地からなる衣料が、「人体の大腿部を少なくとも股部より下側まで筒状に包み込む脚部を有している衣料」とは、例えば図１その他に示したロングタイプのガードルとか、図３４その他に示したスポーツ用タイツなどで示されるように、大腿部あるいは大腿部と下腿部を筒状に包み込む脚部を有している衣料などであり、図示していないがこのような脚部を有するタイプのスパッツ、ボディスーツ、レオタード、水着などにも適用可能である。このような本発明の好ましい態様においては、大腿部を少なくとも股部より下側まで筒状に包み込む脚部を有することにより、全体の長さも脚部が存在する分長くなり、よりしっかりと身体に固定されフィツトしており、従って、強緊締力部の緊締力がより有効に作用し易くなり好ましい。特に大転子を押さえる機能がより効果的に発揮され好ましい。
【０１３９】
また、本発明の衣料において、少なくとも下半身の一部をカバーし股部を有しており人体にフィットさせて着用する伸縮性生地からなる衣料が、「その裾下端位置が股部の位置とほぼ同等の高さの位置にあるか、または、それより上にあり、大腿部を少なくとも股部より下側まで筒状に包み込む脚部を有していない衣料」とは、例えば図５５、図５８その他に示したショートタイプのガードルとか、図４９に示したボディスーツなどで示されるように、大腿部あるいは大腿部と下腿部を筒状に包み込む脚部を有しておらず、人体の脚部を出す穴が設けられている様な衣料であり、通常このような衣料はその裾の下端位置が股部の位置とほぼ同等の高さの位置にあるか、または、それより上にあるので、上記の様な表現をしたものである。図示していないがこのような大腿部を筒状に包み込む脚部を有していないタイプのレオタード、水着などにも適用可能である。こういった裾丈のものは、大転子をカバーし裾ラインが大転子近傍ないしその下方を通るが、裾ラインは通常身体に密着するようにされているから、大転子部分を抑える機能が効果的に発揮しうる。更に、このような本発明の態様においては、大腿部を筒状に包み込む脚部を有していないので、蒸れが少なく、従って暑いシーズンにも好適に着用でき、また、大腿部への圧迫感が少ないので、より着用感が良好な衣料を提供できる。
【０１４０】
本発明の衣料は、伸縮性生地からなる衣料であって、部分的に緊締力の強い部分（強緊締力部）を有するものである。
【０１４１】
本発明の衣料において、強緊締力部の形成方法としては、衣料本体に所定形状の伸縮性生地を重ね合わせてそれを縫合させることによって形成してもよいし、衣料本体に所定形状の伸縮性生地を重ね合わせてそれを接着することによって形成してもよい。これらの方法によれば、容易に耐久性のある衣料を製造することができる。もちろん、強緊締力部とそれ以外の部分をそれぞれ所定形状のパーツにして、それらを接ぎ合わせて本発明の下肢部保護衣料を形成してもよいが、縫製が複雑になり、やや手間がかかる。
【０１４２】
また、そのほか例えば、衣料本体に所定形状の伸縮性生地を引き伸ばして重ね合わせて縫合または接着する方法によって強緊締力部を形成してもよい。これらの方法によれば、強緊締力部により強力な緊締力を付与する場合に好適である。
【０１４３】
また、衣料本体の所定部分に弾力性を有する合成樹脂またはゴムの溶液またはエマルションを含浸またはコーティングしその後乾燥させる方法、弾力性を有する合成樹脂またはゴムのフイルムを積層する方法によって強緊締力部を形成してもよい。これらの方法によれば、強緊締力部の厚みが比較的薄いものを得ることができる。弾力性を有する合成樹脂としてはポリウレタン樹脂やポリエステルエラストマー樹脂その他の適宜の弾性樹脂が適用できる。
【０１４４】
また、衣料本体を構成する伸縮性生地の編み組織をより緊締力の強い編み組織にする方法によって強緊締力部を形成してもよい。これらの方法によれば、同様に重ね合わせをしなくてもすむので、強緊締力部の厚みがより薄いものを得ることができる。尚、上述したような編み組織の切り替えによって強緊締力部を形成する方法の定義には、衣料本体を構成する繊維素材のうち、弾性繊維の太さが他の部分より太い弾性繊維を使用する方法によって強緊締力部を形成する方法も含まれる。この方法によっても、重ね合わせをしなくてもすむので、強緊締力部の厚みがより薄いものを得ることができる。
【０１４５】
上記した強緊締力部の形成方法の中でも、衣料本体に所定形状の伸縮性生地を重ね合わせてそれを縫合することによって形成する方法と、衣料本体に所定形状の伸縮性生地を引き伸ばして重ね合わせて縫合する方法とが好ましい。尚、これらの方法によれば、衣料本体に縫合される伸縮性生地の緊締力は衣料本体の伸縮性生地の緊締力よりもやや小さくても、同じでも、大きくてもよい。衣料本体に伸縮性生地が重ね合わせられた結果、重ね合わされた部分の緊締力が増大するからである。どのくらいの緊締力の生地を重ね合わせたらよいかは、衣料の種類や使用目的、着用者の好みなどによって適宜選定すればよい。
【０１４６】
強緊締力部の緊締力としては、特に限定するものではないが、ほぼその長さ方向で１５０〜４００ｇｆの緊締力を有する様に設計することが好ましい。このような緊締力の範囲において、本発明の機能が効果的に発揮され、また、圧迫感が余りに強過ぎることもなく着用感が良好で好ましい。尚、弱緊締力部の緊締力が１５０ｇｆを超えることがあっても、当該衣料中に設けられているいずれの強緊締力部よりも、その緊締力が小さければ差し支えない。
【０１４７】
緊締力の測定方法としては、インストロン型万能引張試験機（島津製作所製“オートグラフ”ＡＧ−５００Ｄ）を用い、引張り速度３００±２０ｍｍ／ｍｉｎにて試料長（つかみ間隔）の８０％までの伸長回復を３回繰り返し、３回目の伸長回復の際の３０％伸長時および回復時の値のうちの回復時の値を読み取り緊締力とする。試料の大きさは幅２．５ｃｍ、長さ１６ｃｍ、上部つかみ２．５ｃｍ、下部つかみ３．５ｃｍ、引張間隔１０ｃｍとすることが好ましいが、かかる大きさの試料が測定対象の衣料から切り出せない場合にはそれより小さくても差し支えない。ただ、試料の大きさが小さくなるほど、測定誤差が大きくなるので、切り出せる範囲でできるだけ大きな試料を採取して測定することが好ましい。尚、衣料本体に伸縮性生地などが重ね合わせられて強緊締力部が形成されている様な場合は、その緊締力の測定試料としては、当然のことながら重ね合わされた試料を測定する必要がある。
【０１４８】
本発明の衣料における強緊締力部の幅は、強緊締力部の存在部位、用いる素材の緊締力の強さ、強緊締力部の形成手段、着用者の障害の程度や障害部位、または障害予防の目的、行うスポーツの種類、大人か子供かなどによって適宜本発明の目的が達成される範囲で適当な幅にすれば良く、特に限定するものではないが、例えば、最も幅の広い部分は通常５〜１５ｃｍ程度、より好ましくは８〜１３ｃｍ程度が好ましく、その他の強緊締力部の幅は、例えば大腿部外側側部の一番細い幅で、通常２〜１０ｃｍ程度、より好ましくは４〜８ｃｍ程度が好ましい。また、例えば図１９、図２２、図４６、図４９などで示したお腹押え用強緊締力部の最も幅の広い部分は、着用者の身体の大きさによって当然異なってくるが、通常８〜１７ｃｍ程度、より好ましくは１０〜１４ｃｍ程度が一般的である。もちろん本発明の目的が達成される範囲に於いて、強緊締力部の幅は、部位に応じて部分的に狭幅になったり、広幅になったりすることがあるのは何ら差し支えない。
【０１４９】
また、本発明の衣料は、伸縮性生地として、衣料本体部分や各強緊締力部において、伸縮性を有するポリウレタン繊維含有ラッセル編物であるポリウレタン繊維含有パワーネットや、ポリウレタン繊維含有トリコット編物であるポリウレタン繊維含有ツーウェイトリコット編物などを好ましく用いることができるので、従来の比較的厚地のパイル地やネオプレンシートなどを用いるサポーターなどに比べて、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な衣料を提供できる。パワーネットの種類としては、例えば、プレーンパワーネット、サテンパワーネット、ツーウェイラッセル、“トリスキン”（ト部株式会社の商標）などが挙げられる。
【０１５０】
また、強緊締力部の緊締力はすべて同一である必要はなく、部位に応じて異なった緊締力としてもよい。
【０１５１】
尚、前述の実施の形態で記載した、各衣料に関し、強緊締力部と、それ以外の弱緊締力部の緊締力を測定した結果を下記する。
【０１５２】
［緊締力測定結果例１］
図１〜図５１で示したような衣料で、衣料本体布に、当て布をあてがって、当該当て布をあてがった部分を強緊締力部分とした態様の例のその１
<1>本体布：
“トリスキン”（ト部株式会社の商標名、ツーウェイパワーネット編物）。４０デニールのナイロン糸、挿入糸として１４０デニールと４０デニールのポリウレタン弾性糸各ウェールに１本づつ挿入。４０デニールのポリウレタン弾性糸の挿入方法は、前述した複数のウェールにまたがって蛇行して挿入した。
【０１５３】
混用率：ナイロン７３．７重量％、ポリウレタン弾性糸２６．３重量％
伸長力：１４０ｇｆ    緊縮力：１２９ｇｆ
【０１５４】
<2>強緊縮力部１：上記本体布に下記当て布をあてがった部分（但し、大転子３のような当て布が２重に重なる部分を除いた部分）
当て布：ワンウェイパワーネット。７０デニールのナイロン糸、挿入糸として２８０デニールのポリウレタン弾性糸各ウェールに１本づつ挿入。
【０１５５】
混用率：ナイロン８１重量％、ポリウレタン弾性糸１９重量％
伸長力：２８０ｇｆ  緊縮力：２４０ｇｆ
【０１５６】
<3>強緊縮力部２：（大転子３近傍部分。当て布が２枚重なった部分で、本体布と合わせて３枚重ねとなっている部分）
上記本体布に、上記当て布を２枚重ねて測定。
【０１５７】
伸長カ：４２３ｇｆ    緊縮力：３５４ｇｆ
【０１５８】
［緊締力測定結果例２］
図１〜図５１で示したような衣料で、衣料本体布に、当て布をあてがって、当該当て布をあてがった部分を強緊締力部分とした態様の例のその２
<1>本体布：
ツーウェイパワーネット。４０デニールのナイロン糸、挿入糸として２６０デニールと４０デニールのポリウレタン弾性糸各ウェールに１本づつ挿入。４０デニールのポリウレタン弾性糸の挿入方法は、前述した複数のウェールにまたがって蛇行して挿入した。
【０１５９】
混用率：ナイロン７３．７重量％、ポリウレタン弾性糸２６．３重量％
伸長力：１４０ｇｆ    緊縮力：１２９ｇｆ
【０１６０】
<2>強緊縮力部１：上記本体布に下記当て布をあてがった部分（但し、大転子３のような当て布が２重に重なる部分を除いた部分）
当て布：ワンウェイパワーネット。４０デニールのナイロン糸、挿入糸として１４０デニールのポリウレタン弾性糸各ウェールに１本づつ挿入。
【０１６１】
混用率：ナイロン８０．４重量％、ポリウレタン弾性糸１９．６重量％
伸長力：２１９ｇｆ    緊縮力：２００ｇｆ
【０１６２】
<3>強緊縮力部２：（大転子３近傍部分。当て布が２枚重なった部分で、本体布と合わせて３枚重ねとなっている部分）
上記本体布に、上記当て布を２枚重ねて測定。
【０１６３】
伸長力：２７５ｇｆ    緊縮力：２４５ｇｆ
【０１６４】
［緊締力測定結果例３］
図５２〜図５７で示したような衣料で、ジャカードラッシェル機によるツーウェイパワーネットであって、地編組織の表側にあらわれる組織を編み分けて強緊締力部と弱緊締力部を形成したもの。糸使いは、図５２〜図５７の説明で説明した通り。
【０１６５】
地編組織が２０デニールのナイロン糸、２８０デニールと４０デニールのポリウレタン弾性糸が各ウェールに１本づつ挿入。４０デニールのポリウレタン弾性糸の挿入方法は、前述した複数のウェールにまたがって蛇行して挿入されている。
【０１６６】
混用率：ナイロン糸８０重量％、ポリウレタン弾性糸２０重量％
<1>弱緊締力部（メッシュ調ネット組織の部分）：
伸長力：２３２ｇｆ    緊締力：１３２ｇｆ
<2>第３強緊締力部：（サテン調ネット組織の部分）：
伸長力：２７１ｇｆ      緊縮力：１５１ｇｆ
<3>第２強緊締力部：（サテン調ネット組織の部分）：
伸長力：２９１ｇｆ      緊縮力：１５７ｇｆ
<4>第１強緊締力部：（サテン調ネット組織で、尚かつ、大転子上の部分）：
伸長力：２９７ｇｆ    緊縮力：１６８ｇｆ
【０１６７】
【発明の効果】
本発明の衣料は、次の様な機能を発揮し得る衣料が提供される。
【０１６８】
（１）本発明の衣料は、衣料後側の人体の仙骨から腰椎上のいずれかの部分に相当する位置に於いて左右部分が連結しており、前記位置から左右の大殿筋のほぼ筋繊維方向に沿って臀部の膨らみの頂点又はその近傍を通り少なくとも大転子近傍に至る部分をカバーしている強緊締力部（Ａ）を有するので、しっかりと大殿筋をその筋繊維方向にサポートすることができる。従って、股関節の伸展、特に骨盤の前後方向への安定性に大きな役割をはたすことができ、腰の回旋運動をサポートし、腰の回旋可能角度の減少を防止し、高齢者においては転倒の防止に有効である。また、走行、ジャンプ、スロープを上る際の股関節の前後方向への伸展に大きな役割をはたすことができる。また、強緊締力部が大転子近傍をカバーしているので大腿骨頭と寛骨臼との結合を良好にし、股関節の安定性を向上させる機能を有する衣料を提供できる。
【０１６９】
そして、下腹部の腹直筋上に於いて左右部分が連結しており、前記下腹部の腹直筋上から左右の内腹斜筋のほぼ筋繊維方向に沿って斜め下方向に向かい少なくとも大転子近傍に至る部分をカバーしている強緊締力部（Ｂ）を更に有しており、更に腹直筋の一部と内腹斜筋をサポートするので、腰椎の前湾を弱め、良好な姿勢を保持し、腰痛などの痛みの発生を予防しうる機能を更に付加した衣料を提供できる。
【０１７０】
（２）また、下腹部の腹直筋上に於いて左右部分が連結しており、前記下腹部の腹直筋上から左右の外腹斜筋のほぼ筋繊維方向に沿って斜め上方に向かい少なくとも脇を背面側に超える位置までの部分をカバーしている強緊締力部（Ｃ）を更に有する本発明の好ましい態様とすることにより、更に腹直筋の一部と外腹斜筋をサポートし、腰椎の前湾を弱め、良好な姿勢を保持し、体型が若々しく見え、腰痛などの痛みの発生を予防しうる機能を更に付加した衣料を提供できる。
【０１７１】
（３）また、ほぼウェスト部の後中心位置近傍に於いて左右部分が連結しており、前記ウェスト部の後中心位置近傍から左右の広背筋及び中殿筋及び外腹斜筋の一部に当接され少なくとも脇を前面側に超える位置までの部分をカバーしている強緊締力部（Ｄ）を更に有する本発明の好ましい態様とすることにより、骨盤の後傾を防止し、骨盤の位置を安定した位置に保つ機能を補助する機能を更に付加した衣料を提供できる。
【０１７２】
尚、前記（１）項記載の強緊締力部（Ａ）及び（Ｂ）に加えて、前記（２）項記載の強緊締力部（Ｃ）とを更に有する本発明の好ましい態様とすることにより、前記（１）項に記載した機能に加えて、強緊締力部（Ｂ）と強緊締力部（Ｃ）とが一体となって連結しているので、腹筋をより強力にサポートし、腰椎の前湾を弱め、良好な姿勢を保持し、体型が若々しく見え、腰痛などの痛みの発生を予防しうる機能がより発揮されやすい衣料を提供できる。
【０１７３】
（４）また、前記（１）項記載の強緊締力部（Ａ）及び（Ｂ）に加えて、前記（２）項記載の強緊締力部（Ｃ）と前記（３）項記載の強緊締力部（Ｄ）とを更に有する本発明の好ましい態様とすることにより、強緊締力部（Ｂ）と強緊締力部（Ｃ）とは一体となって連結しているので、腹筋をより強力にサポートし、前記（１）項に記載した機能に加えて、腰椎の前湾を弱め、良好な姿勢を保持し、体型が若々しく見え、腰痛などの痛みの発生を予防しうる機能がより発揮されやすい衣料を提供できる。また、強緊締力部（Ｄ）を有しているので、ウェスト部の後中心位置近傍から左右の広背筋及び中殿筋及び外腹斜筋をより強力にサポートし、骨盤の後傾を防止し、骨盤の位置を安定した位置に保つ機能がより発揮されやすい衣料を提供できる。
【０１７４】
（５）また、主たる伸縮方向が衣料縦方向であって下腹部中央部をカバーするお腹押え用強緊締力部（Ｆ）を更に有しており、前記強緊締力部（Ｂ）が、前記お腹押え用強緊締力部（Ｆ）の左右の下脇側にそれぞれその一端が連結されており前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）である本発明の好ましい態様とすることにより、前記(１)で述べた機能のほかに、腹部の贅肉の膨出を押さえ、腹部の形状をより美しく整える機能も更に付加された衣類を提供できる。
【０１７５】
（６）また、主たる伸縮方向が衣料縦方向であって下腹部中央部をカバーするお腹押え用強緊締力部（Ｆ）を更に有し、
前記強緊締力部（Ｂ）が、前記お腹押え用強緊締力部（Ｆ）の左右の下脇側にそれぞれその一端が連結されており前記（Ｆ）の左右の下脇側からそれぞれ左右の内腹斜筋のほぼ筋繊維方向に沿って斜め下方向に向かい少なくとも大転子近傍に至る部分をカバーしている強緊締力部（Ｂ）であり、
前記強緊締力部（Ｃ）が、前記お腹押え用強緊締力部（Ｆ）の左右の上脇側にそれぞれその一端が連結されており前記（Ｆ）の左右の上脇側からそれぞれ左右の外腹斜筋のほぼ筋繊維方向に沿って斜め上方に向かい少なくとも脇を背面側に超える位置までの部分をカバーしている強緊締力部（Ｃ）である本発明の好ましい態様とすることにより、前記（１）〜（２）項で述べた機能のほかに、腹部の贅肉の膨出を押さえ、腹部の形状をより美しく整える機能も更に付加された衣類を提供できる。
【０１７６】
（７）また、強緊締力部（Ａ）で表わされる部分が、更に大転子近傍から前側大腿部の内側に向かって縫工筋、大腿直筋、内側広筋から選ばれたいずれか少なくとも１つの大腿四頭筋の少なくとも一部をカバーしている強緊締力部（Ａ２）である本発明の好ましい態様とすることにより、大転子３を押さえる機能が更に一層強化されており、大腿骨頭と寛骨臼との結合をより良好にし、股関節の安定性を向上させる機能がより強化される。そして、強緊締力部（Ａ２）により、大腿四頭筋（縫工筋、大腿直筋、内側広筋など）をほぼその筋繊維方向に沿ってサポートしているので、スポーツを行う場合に、これらの脚部の筋肉へのマッサージ効果が発揮され、これらの筋肉の疲労の回復を促進する機能が更に付加された衣類を提供できる。また高齢者が着用した場合には、転倒を防止し歩行の安定性を高める機能がより一層強化される。
【０１７７】
（８）また、強緊締力部（Ａ）で表わされる部分が、更に大転子近傍から大腿部の腸脛靭帯及び／又は外側広筋近傍上を通り膝蓋部より少し上の部分までをカバーしている強緊締力部（Ａ３）である本発明の好ましい態様とすることにより、大転子３を押さえる機能が更に一層強化されており、大腿骨頭と寛骨臼との結合をより良好にし、股関節の安定性を向上させる機能がより強化される。そして、強緊締力部（Ａ３）により、腸脛靭帯及び／又は外側広筋をほぼその筋繊維方向に沿ってサポートしているので、スポーツを行う場合に、これらの脚部の筋肉へのマッサージ効果が発揮され、血液、リンパ球の流れが促進されることにより、エネルギーの消耗や乳酸の蓄積によって生じた筋肉疲労の回復を促進する機能が更に付加された衣類を提供できる。また高齢者が着用した場合には、転倒を防止し歩行の安定性を高める機能がより一層強化される。
【０１７８】
（９）また、強緊締力部（Ａ）で表わされる部分が、更に大転子近傍から腸脛靭帯及び／又は外側広筋近傍上を通って、膝蓋部に至り、更に膝蓋部から、腓腹筋及びヒラメ筋をサポートするために脚部外側で腓腹筋及び／又はヒラメ筋近傍上を通り、外踝部上方近傍に至る部分をカバーしている強緊締力部（Ａ４）である本発明の好ましい態様とすることにより、大転子３を押さえる機能が更に一層強化されており、大腿骨頭と寛骨臼との結合をより良好にし、股関節の安定性を向上させる機能がより強化される。そして、強緊締力部（Ａ４）により、腸脛靭帯及び／又は外側広筋をほぼその筋繊維方向に沿ってサポートし、また、腓腹筋及びヒラメ筋をサポートしているので、スポーツを行う場合に、これらの脚部の筋肉のマッサージ機能が発揮され、これらの筋肉の疲労の回復を促進する機能が更に付加された衣類を提供できる。また高齢者が着用した場合には、転倒を防止し歩行の安定性を高める機能がより一層強化される。
【０１７９】
（１０）また、強緊締力部（Ｂ）で表わされる部分が、更に大転子近傍から臀部の膨らみの下方部分をカバーしている強緊締力部（Ｂ２）である本発明の好ましい態様とすることにより、大転子３を押さえる機能がより強化されており、大腿骨頭と寛骨臼との結合をより良好にし、股関節の安定性を向上させる機能がより強化される。強緊締力部（Ｂ２）により、ヒップアップ機能が更に付加された衣料を提供できる。
【０１８０】
（１１）また、強緊締力部（Ｂ）で表わされる部分が、更に大転子近傍から大腿部後ろ側のハムストリングスの少なくとも一部をカバーしている強緊締力部（Ｂ３）である本発明の好ましい態様とすることにより、大転子３を押さえる機能が更に一層強化されており、大腿骨頭２０４と寛骨臼との結合をより良好にし、股関節の安定性を向上させる機能がより強化される。ハムストリングスとも呼ばれている大腿二頭筋、半腱様筋、半膜様筋のほぼ筋肉収縮方向をサポートしているので、スポーツを行う場合に、脚部のこれらの筋肉疲労の回復を促進し、走行動作における地面を強く後ろに押す機能、ジャンプ時により高く跳ぶ機能、足を上げる機能などをより強化する機能を更に付加した衣料を提供できる。また高齢者が着用した場合には、転倒を防止し歩行の安定性を高める機能がより一層強化される。
【０１８１】
（１２）また、前記（２）項に記載の強緊締力部（Ｃ）と前記（３）項に記載の強緊締力部（Ｄ）とが一体となって連続している強緊締力部（Ｃ−Ｄ）を更に有する本発明の好ましい態様とすることにより、強緊締力部（Ｃ）と強緊締力部（Ｄ）とが一体となって連結しているので、腹筋をより強力にサポートし、腰椎の前湾を弱め、良好な姿勢を保持し、体型が若々しく見え、腰痛などの痛みの発生を予防しうる機能がより発揮されやすい。また、強緊締力部（Ｃ）と強緊締力部（Ｄ）とは一体となって連結していて、強緊締力部（Ｃ−Ｄ）を形成しているので、ウェスト部の後中心位置近傍から左右の広背筋及び中殿筋及び外腹斜筋をより強力にサポートし、骨盤の後傾を防止し、骨盤の位置を安定した位置に保つ機能がより発揮されやすい。
【０１８２】
（１３）また、大腿部内側上方部分から、内側広筋をサポートするために内側広筋上を通って、膝蓋部に至り、更に膝蓋部から、腓腹筋及びヒラメ筋をサポートするために脚部内側で腓腹筋及び／又はヒラメ筋近傍上を通り、内踝部上方近傍に至る強緊締力部（Ｅ）を更に有する本発明の好ましい態様とすることにより、内側広筋をほぼその筋繊維方向に沿ってサポートし、また、腓腹筋及びヒラメ筋をサポートしているので、スポーツを行う場合に、これらの脚部の筋肉へのマッサージ機能が発揮され、これらの筋肉の疲労の回復を促進する機能が更に付加された衣類を提供できる。また高齢者が着用した場合には、転倒を防止し歩行の安定性を高める機能がより一層強化される。
【０１８３】
（１４）また、強緊締力部が衣料本体布の表側又は裏側に当て布を積層して形成した強緊締力部である本発明の好ましい態様とすることにより、本発明の衣料の製造が容易で、容易に耐久性のある衣料を製造することができる。
【０１８４】
（１５）また、強緊締力部が、衣料本体布の編組織を切り替えて、弱緊締力部と強緊締力部とをパターン状に形成することにより形成された強緊締力部である本発明の好ましい態様とすることにより、強緊締力部の厚みがより薄く、強緊締力部とそれ以外の部分との段差がなく、着用感に優れ、見栄えの優れた本発明の衣料を得ることができる。
【０１８５】
（１６）また、強緊締力部が、衣料本体布の所定部分に弾力性を有する合成樹脂又はゴムのフィルムを積層するか、または、弾力性を有する合成樹脂又はゴムの溶液又はエマルションを含浸又はコーティングし乾燥させて形成した強緊締力部である本発明の好ましい態様とすることにより、比較的安価にしかも強緊締力部の厚みが比較的薄いものを得ることができる。
【０１８６】
（１７）また、強緊締力部が、１５０〜４００ｇｆの緊締力を有する本発明の好ましい態様とすることにより、このような緊締力の範囲において、本発明の機能が効果的に発揮され、また、圧迫感が余りに強過ぎることもなく着用感が良好な本発明の衣料を提供できる。
【０１８７】
（１８）また、伸縮性生地が伸縮性ツーウェイトリコット編物及び伸縮性ラッセル編物から選ばれた編物である本発明の好ましい態様とすることにより、従来の比較的厚地のパイル地やネオプレンシートなどを用いるサポーターなどに比べて、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な本発明の衣料を提供できる。
【０１８８】
（１９）また、少なくとも下半身の一部をカバーし股部を有しており人体にフィットさせて着用する伸縮性生地からなる衣料が、ガードル、スパッツ、スポーツ用タイツ、ボディスーツ、レオタード、水着から選ばれた衣料である本発明の好ましい態様においては、これらの衣料は人体の肌の上に密着して着用されるか、または比較的肌側に近い部分にフィットさせて着用され、従って前述した機能が効果的に発揮される衣料であり好ましい。
【０１８９】
（２０）また、少なくとも下半身の一部をカバーし股部を有しており人体にフィットさせて着用する伸縮性生地からなる衣料が、人体の大腿部を少なくとも股部より下側まで筒状に包み込む脚部を有している衣料である本発明の好ましい態様においては、大腿部を少なくとも股部より下側まで筒状に包み込む脚部を有することにより、全体の長さも脚部が存在する分長くなり、よりしっかりと身体に固定されフィツトしており、従って、強緊締力部の緊締力がより有効に作用し易くなり好ましい。特に大転子を押さえる機能がより効果的に発揮され好ましい。
【０１９０】
（２１）また、少なくとも下半身の一部をカバーし股部を有しており人体にフィットさせて着用する伸縮性生地からなる衣料が、その裾下端位置が股部の位置とほぼ同等の高さの位置にあるか、または、それより上にあり、大腿部を少なくとも股部より下側まで筒状に包み込む脚部を有していない衣料である本発明の好ましい態様においては、こういった裾丈のものは、大転子をカバーし裾ラインが大転子近傍ないしその下方を通るが、裾ラインは通常身体に密着するようにされているから、大転子部分を抑える機能が効果的に発揮しうる。更に、蒸れが少なく、従って暑いシーズンにも好適に着用でき、また、大腿部への圧迫感が少ないので、より着用感が良好な衣料を提供できる。
【図面の簡単な説明】
【図１】  参考例としての衣料のロングタイプのガードルの着用状態における正面図。
【図２】  図１のロングタイプのガードルの着用状態における左側面図。
【図３】  図１のロングタイプのガードルの着用状態における背面図。
【図４】  本発明の衣料である別の態様のロングタイプのガードルの着用状態における正面図。
【図５】  図４のロングタイプのガードルの着用状態における左側面図。
【図６】  図４のロングタイプのガードルの着用状態における背面図。
【図７】  参考例としての衣料である更に別の態様のロングタイプのガードルの着用状態における正面図。
【図８】  図７のロングタイプのガードルの着用状態における左側面図。
【図９】  図７のロングタイプのガードルの着用状態における背面図。
【図１０】  参考例としての衣料である更に別の態様のロングタイプのガードルの着用状態における正面図。
【図１１】  図１０のロングタイプのガードルの着用状態における左側面図。
【図１２】  図１０のロングタイプのガードルの着用状態における背面図。
【図１３】  本発明の衣料である更に別の態様のロングタイプのガードルの着用状態における正面図。
【図１４】  図１３のロングタイプのガードルの着用状態における左側面図。
【図１５】  図１３のロングタイプのガードルの着用状態における背面図。
【図１６】  本発明の衣料である更に別の態様のロングタイプのガードルの着用状態における正面図。
【図１７】  図１６のロングタイプのガードルの着用状態における左側面図。
【図１８】  図１６のロングタイプのガードルの着用状態における背面図。
【図１９】    本発明の衣料である更に別の態様のロングタイプのガードルの着用状態における正面図。
【図２０】  図１９のロングタイプのガードルの着用状態における左側面図。
【図２１】  図１９のロングタイプのガードルの着用状態における背面図。
【図２２】  本発明の衣料である更に別の態様のロングタイプのガードルの着用状態における正面図。
【図２３】  図２２のロングタイプのガードルの着用状態における左側面図。
【図２４】  図２２のロングタイプのガードルの着用状態における背面図。
【図２５】  本発明の衣料である更に別の態様のロングタイプのガードルの着用状態における左側面図。
【図２６】  図２５のロングタイプのガードルの着用状態における背面図。
【図２７】  本発明の衣料である更に別の態様のロングタイプのガードルの着用状態における正面図。
【図２８】  図２７のロングタイプのガードルの着用状態における左側面図。
【図２９】  図２７のロングタイプのガードルの着用状態における背面図。
【図３０】  本発明の衣料である更に別の態様のロングタイプのガードルの着用状態における左側面図。
【図３１】  図３０のロングタイプのガードルの着用状態における背面図。
【図３２】  本発明の衣料である更に別の態様のロングタイプのガードルの着用状態における左側面図。
【図３３】  図３２のロングタイプのガードルの着用状態における背面図
【図３４】  本発明の衣料であるスポーツ用タイツの正面図。
【図３５】  図３４のスポーツ用タイツの背面図。
【図３６】  図３４のスポーツ用タイツの左側面図。
【図３７】  図３５のスポーツ用タイツのＡ−Ａ’ラインにおける断面略図。
【図３８】  本発明の衣料である別の態様のスポーツ用タイツの背面図。
【図３９】  図３８のスポーツ用タイツの左側面図。
【図４０】  参考例としての衣料である更に別の態様のスポーツ用タイツの背面図。
【図４１】  図４０のスポーツ用タイツの左側面図。
【図４２】  参考例としての衣料である更に別の態様のスポーツ用タイツの背面図。
【図４３】  図４２のスポーツ用タイツの左側面図。
【図４４】  参考例としての衣料である更に別の態様のスポーツ用タイツの背面図。
【図４５】  図４４のスポーツ用タイツの左側面図。
【図４６】  本発明の衣料のボディスーツの着用状態における正面図。
【図４７】  図４６のボディスーツの着用状態における背面図。
【図４８】  図４６のボディスーツの着用状態における左側面図。
【図４９】  本発明の衣料である更に別の態様のボディスーツの着用状態における正面図。
【図５０】  図４９のボディスーツの着用状態における背面図。
【図５１】  図４９のボディスーツの着用状態における左側面図。
【図５２】  本発明のロングタイプのガードルの前側から見た斜視図。
【図５３】  図５２のロングタイプのガードルの後側から見た斜視図。
【図５４】  図５２〜図５３に示したガードルの後から前脇ならびに脚部に用いられる生地の裁断前の平面図。
【図５５】  本発明のショートタイプのガードルの前側から見た斜視図。
【図５６】  図５５のショートタイプのガードルの後側から見た斜視図。
【図５７】  図５５〜図５６に示したガードルの後から前脇部に用いられる生地の裁断前の平面図。
【図５８】  本発明の衣料である更に別の態様のショートタイプのガードルの着用状態における正面図。
【図５９】  図５８のショートタイプのガードルの着用状態における左側面図。
【図６０】  図５８のショートタイプのガードルの着用状態における背面図。
【図６１】  本発明の衣料である更に別の態様のショートタイプのガードルの着用状態における正面図。
【図６２】  図６１のショートタイプのガードルの着用状態における左側面図。
【図６３】  図６１のショートタイプのガードルの着用状態における背面図。
【図６４】  本発明の衣料である更に別の態様のショートタイプのガードルの着用状態における正面図。
【図６５】  図６４のショートタイプのガードルの着用状態における左側面図。
【図６６】  図６４のショートタイプのガードルの着用状態における背面図。
【図６７】  本発明の衣料である更に別の態様のショートタイプのガードルの着用状態における正面図。
【図６８】  図６７のショートタイプのガードルの着用状態における左側面図。
【図６９】  図６７のショートタイプのガードルの着用状態における背面図。
【図７０】  人体前面側の骨格及び筋肉図。
【図７１】  人体後面側の骨格及び筋肉図。
【符号の説明】
１        強緊締力部
１ｅ      強緊締力部
１ｆ      強緊締力部
１ｇ      強緊締力部
２        第４腰椎から仙骨に相当する位置
２ａ      仙骨に相当する位置
３        大転子
４        下腹部の腹直筋上
５        強緊締力部
５ａ、５ｂ      強緊締力部
６        強緊締力部
７        脇
８        ほぼウェスト部の後中心位置
９        強緊締力部
１０ａ、１０ｂ、１０ｃ、１０ｄ、１０ｅ、１０ｆ、１０ｇ、１０ｈ、１０ｉ、１０ｊ、１０ｋ、１０ｍ、１０ｎ、１０ｐ、１０ｑ、１０ｒ、１０ｓ、１０ｔ      ガードル
１１      強緊締力部
１２      強緊締力部
２０      お腹押え用強緊締力部（Ｆ）
２１      クロッチ
２２      臀溝の位置
２５      強緊締力部１ｆの一部
２６      強緊締力部１ｇの上方部分
３０ａ、３０ｂ、３０ｃ、３０ｄ、３０ｅ    スポーツ用タイツ
３１      強緊締力部（Ｅ）
３５      膝蓋部
３６、３７      二ツ山型
４０、４１      二ツ山型
５０      上半身部
５１      下半身部
５２      ストラップと兼ねて背部の一部分を充当している布
６０ａ    ボディスーツ
６０ｂ    ボディスーツ
７０      裾部分の強緊締力部
７１      臀部上部の部分
７２      脚部の一部部分
７３      臀裂部の左右やや上方部分
７４      腹部上部
７５      クロッチ布
７６      前裾部分
７８      脚部穴
７９      接ぎライン
８０      前裾布
８２      前ウェスト布
８３      後ろ側の裾ライン
２０１    腰椎
２０１ａ  第１腰椎
２０１ｂ  第２腰椎
２０１ｃ  第３腰椎
２０１ｄ  第４腰椎
２０１ｅ  第５腰椎
２０２    仙骨
２０３    骨盤
２０４    大腿骨頭
２０５    大転子
２０６    大腿骨体
２０７    腓骨
２０８    脛骨
３０１    腹直筋
３０２    外腹斜筋
３０３    縫工筋
３０４    大腿直筋
３０５    外側広筋
３０６    内側広筋
３０７    膝蓋の位置
３０８    広背筋
３０９    中殿筋
３１０    大殿筋
３１１    腸脛靭帯
３１２    大腿二頭筋
３１３    半腱様筋
３１４    半膜様筋
３１５    腓腹筋
３１５ａ  脚部外側の腓腹筋
３１５ｂ  脚部内側の腓腹筋
３１６    ヒラメ筋
３１６ａ  脚部外側のヒラメ筋
３１６ｂ  脚部内側のヒラメ筋
３１７    踝
３１７ａ  外踝部
３１７ｂ  内踝部
３１８    大腿筋膜張筋
【図１】
0003870232.tif 000002
【図２】
0003870232.tif 000003
【図３】
0003870232.tif 000004
【図４】
0003870232.tif 000005
【図５】
0003870232.tif 000006
【図６】
0003870232.tif 000007
【図７】
0003870232.tif 000008
【図８】
0003870232.tif 000009
【図９】
0003870232.tif 000010
【図１０】
0003870232.tif 000011
【図１１】
0003870232.tif 000012
【図１２】
0003870232.tif 000013
【図１３】
0003870232.tif 000014
【図１４】
0003870232.tif 000015
【図１５】
0003870232.tif 000016
【図１６】
0003870232.tif 000017
【図１７】
0003870232.tif 000018
【図１８】
0003870232.tif 000019
【図１９】
0003870232.tif 000020
【図２０】
0003870232.tif 000021
【図２１】
0003870232.tif 000022
【図２２】
0003870232.tif 000023
【図２３】
0003870232.tif 000024
【図２４】
0003870232.tif 000025
【図２５】
0003870232.tif 000026
【図２６】
0003870232.tif 000027
【図２７】
0003870232.tif 000028
【図２８】
0003870232.tif 000029
【図２９】
0003870232.tif 000030
【図３０】
0003870232.tif 000031
【図３１】
0003870232.tif 000032
【図３２】
0003870232.tif 000033
【図３３】
0003870232.tif 000034
【図３４】
0003870232.tif 000035
【図３５】
0003870232.tif 000036
【図３６】
0003870232.tif 000037
【図３７】
0003870232.tif 000038
【図３８】
0003870232.tif 000039
【図３９】
0003870232.tif 000040
【図４０】
0003870232.tif 000041
【図４１】
0003870232.tif 000042
【図４２】
0003870232.tif 000043
【図４３】
0003870232.tif 000044
【図４４】
0003870232.tif 000045
【図４５】
0003870232.tif 000046
【図４６】
0003870232.tif 000047
【図４７】
0003870232.tif 000048
【図４８】
0003870232.tif 000049
【図４９】
0003870232.tif 000050
【図５０】
0003870232.tif 000051
【図５１】
0003870232.tif 000052
【図５２】
0003870232.tif 000053
【図５３】
0003870232.tif 000054
【図５４】
0003870232.tif 000055
【図５５】
0003870232.tif 000056
【図５６】
0003870232.tif 000057
【図５７】
0003870232.tif 000058
【図５８】
0003870232.tif 000059
【図５９】
0003870232.tif 000060
【図６０】
0003870232.tif 000061
【図６１】
0003870232.tif 000062
【図６２】
0003870232.tif 000063
【図６３】
0003870232.tif 000064
【図６４】
0003870232.tif 000065
【図６５】
0003870232.tif 000066
【図６６】
0003870232.tif 000067
【図６７】
0003870232.tif 000068
【図６８】
0003870232.tif 000069
【図６９】
0003870232.tif 000070
【図７０】
0003870232.tif 000071
【図７１】
0003870232.tif 000072